(57)【要約】  本開示は、表示装置及び方法を提供する。表示装置は、支持部材に搭載される視覚的湾曲ディスプレイを含むことができる。ユーザは、ユーザの表示及び／又はロケーション設定又はスケジュールに従って、視覚的湾曲ディスプレイを通してメディアを表示又は投射し得る。上記視覚的湾曲ディスプレイと通信するコントローラ。
2017538612.tif 000002
【特許請求の範囲】
【請求項１】
ユーザにより選択されたメディアを表示又は投射するシステムであって、
無生物物体に搭載可能な支持部材と、
前記支持部材に搭載される視覚的湾曲ディスプレイであって、前記視覚的湾曲ディスプレイは、前記ユーザにより選択された前記メディアを表示又は投射するように構成され、前記メディアは、テキスト、画像、及びビデオのうちの少なくとも１つを含む、視覚的湾曲ディスプレイと、
前記視覚的湾曲ディスプレイと通信するコントローラであって、前記コントローラは、前記ユーザの表示及び／又はロケーション設定又はスケジュールに従って前記メディアを表示又は投射するように前記視覚的湾曲ディスプレイに指示するようにプログラムされる、コントローラと
を備える、システム。
【請求項２】
前記無生物物体は車両である、請求項１に記載のシステム。
【請求項３】
前記支持部材はフレームである、請求項１に記載のシステム。
【請求項４】
前記視覚的湾曲ディスプレイはモジュール式である、請求項１に記載のシステム。
【請求項５】
前記視覚的湾曲ディスプレイは可撓性を有する、請求項１に記載のシステム。
【請求項６】
前記視覚的湾曲ディスプレイに動作可能に結合された誘導充電可能な電池を更に備える、請求項１に記載のシステム。
【請求項７】
前記視覚的湾曲ディスプレイは円形、正方形、又は矩形である、請求項１に記載のシステム。
【請求項８】
前記視覚的湾曲ディスプレイは、前記支持部材から脱着可能である、請求項１に記載のシステム。
【請求項９】
前記視覚的湾曲ディスプレイを前記コントローラと通信させる通信バスを更に備える、請求項１に記載のシステム。
【請求項１０】
前記通信バスは、前記支持部材に搭載される、請求項９に記載のシステム。
【請求項１１】
前記通信バスは、前記視覚的湾曲ディスプレイを前記コントローラと無線通信させる通信インタフェースを含む、請求項９に記載のシステム。
【請求項１２】
前記コントローラは前記支持部材に搭載される、請求項１に記載のシステム。
【請求項１３】
前記視覚的湾曲ディスプレイは発光ダイオード画面である、請求項１に記載のシステム。
【請求項１４】
前記視覚的湾曲ディスプレイはプロジェクタである、請求項１に記載のシステム。
【請求項１５】
前記コントローラと通信するカメラを更に備える、請求項１に記載のシステム。
【請求項１６】
追加の視覚的湾曲ディスプレイを更に備える、請求項１に記載のシステム。
【請求項１７】
前記追加の視覚的湾曲ディスプレイは、前記視覚的湾曲ディスプレイと通信する、請求項１６に記載のシステム。
【請求項１８】
前記支持部材は、前記無生物物体に脱着可能に搭載可能である、請求項１に記載のシステム。
【請求項１９】
ユーザにより選択されたメディアを表示又は投射する方法であって、
（ａ）（ｉ）無生物物体に脱着可能に搭載される支持部材と、（ｉｉ）前記支持部材に搭載される視覚的湾曲ディスプレイであって、前記視覚的湾曲ディスプレイは、前記ユーザにより選択された前記メディアを表示又は投射するように構成され、前記メディアは、テキスト、画像、及びビデオのうちの少なくとも１つを含む、視覚的湾曲ディスプレイとを提供することと、
（ｂ）コンピュータメモリ内の前記ユーザの表示及び／又はロケーション設定又はスケジュールにアクセスすることと、
（ｃ）前記視覚的湾曲ディスプレイを使用して、前記ユーザの前記表示及び／又はロケーション設定又はスケジュールに従って前記メディアを表示又は投射することと
を含む、方法。
【請求項２０】
前記メディアを表示又は投射する入力を前記ユーザから受信することを更に含む、請求項１９に記載の方法。
【請求項２１】
前記入力は、前記視覚的湾曲ディスプレイ又は前記ユーザの電子装置で受信される、請求項２０に記載の方法。
【請求項２２】
前記設定又はスケジュールを前記ユーザから受信することと、前記設定又はスケジュールを前記コンピュータメモリに記憶することとを更に含む、請求項１９に記載の方法。
【請求項２３】
ユーザからメディアへの応答を分析するシステムであって、
無生物物体に搭載可能な支持部材と、
前記支持部材に搭載される表示部材であって、前記表示部材は、前記ユーザにより選択される前記メディアを表示又は投射するように構成され、前記メディアはテキスト、画像、及びビデオのうちの少なくとも１つを含む、表示部材と、
前記表示部材により表示又は投射される前記メディアへの少なくとも１人の個人の応答を示す１つ又は複数の信号を収集するセンサと、
前記表示部材及び前記センサと通信するコントローラであって、前記コントローラは、（ｉ）前記メディアを表示又は投射するように前記表示部材に指示することと、（ｉｉ）前記センサから前記１つ又は複数の信号を受信することと、（ｉｉｉ）少なくとも部分的に、前記センサから受信される前記１つ又は複数の信号に基づいて、前記応答を決定することとを行うようにプログラムされる、コントローラと
を備える、システム。
【請求項２４】
前記無生物物体は車両である、請求項２３に記載のシステム。
【請求項２５】
前記表示部材は表示画面である、請求項２３に記載のシステム。
【請求項２６】
前記表示画面は湾曲しているか、又は可撓性を有する、請求項２５に記載のシステム。
【請求項２７】
前記コントローラと通信するカメラを更に備える、請求項２３に記載のシステム。
【請求項２８】
前記コントローラは、少なくとも部分的に前記応答に基づいて、前記ユーザと前記少なくとも１人の他の個人との間の関係値の性質を示すスコアを決定するようにプログラムされる、請求項２３に記載のシステム。
【請求項２９】
前記コントローラは、ある関係値の性質から別の関係値の性質への遷移間の１つ又は複数のウェイポイントを決定するようにプログラムされる、請求項２８に記載のシステム。
【請求項３０】
前記関係値の性質は、信用、信頼、関与、価値生成、断絶、無気力、無関心、及び順守からなる群から選択される、請求項２８に記載のシステム。
【請求項３１】
前記少なくとも１人の個人は前記ユーザを含む、請求項２３に記載のシステム。
【請求項３２】
前記コントローラには、前記ユーザと１人又は複数の他の人又はエンティティとの間の１つ又は複数の関係の性質を決定又は定量化する関係分析エンジンがプログラムされる、請求項２３に記載のシステム。
【請求項３３】
ユーザからのメディアへの応答を分析する方法であって、
（ａ）（ｉ）無生物物体に搭載される支持部材と、（ｉｉ）前記支持部材に搭載される表示部材であって、前記表示部材は、前記ユーザにより選択された前記メディアを表示又は投射するように構成され、前記メディアはテキスト、画像、及びビデオのうちの少なくとも１つを含む、表示部材と、（ｉｉｉ）前記表示部材により表示又は投射される前記メディアへの少なくとも１人の個人の対応を示す１つ又は複数の信号を収集するセンサとを提供することと、
（ｂ）前記表示部材を使用して、前記メディアを表示又は投射することと、
（ｃ）前記センサから前記１つ又は複数の信号を受信することと、
（ｄ）少なくとも部分的に、前記センサから受信される前記１つ又は複数の信号に基づいて、前記応答を決定することと
を含む、方法。
【請求項３４】
少なくとも部分的に前記応答に基づいて、前記ユーザと前記少なくとも１人の個人との間の関係値の性質を示すスコアを決定することを更に含む、請求項３３に記載の方法。
【請求項３５】
ある関係値の性質から別の関係値の性質への遷移間の１つ又は複数のウェイポイントを決定することを更に含む、請求項３４に記載の方法。
【発明の詳細な説明】
【技術分野】
【０００１】
（相互参照）
[0001]  本願は、２０１４年７月２８日に出願された米国仮特許出願第６２／０２９，９１３号及び２０１４年８月１日に出願された米国仮特許出願第６２／０３２，３０６号への優先権を主張するものであり、これらはそれぞれ全体的に、参照により本明細書に援用される。
【背景技術】
【０００２】
[0002]  人々は、生活の経験がどのようなものであるかに作用し影響する異なるエネルギー及び結果をもたらす全ての種類の意図及び表現を経験し、１日、１週間、１ヶ月、及び寿命を通して人々がいかに感じ、何を達成するかをもたらす結果を生み出す。意図、表現、及びエネルギーによっては、強力で容易に認識可能なものもあれば、より繊細であり、直観的にしか感じられないことが多いものもある。
【０００３】
[0003]  人が言うこと、考えること、及び表現することは、人及び人の周囲の人々に影響を及ぼすエネルギー及び結果を生み出す。よりポジティブな意図、表現、及びエネルギーを生み出すことは、人の生活において、及び社会全体に対する改善及び好ましい結果をもたらす。
【０００４】
[0004]  ネガティブな結果及びネガティブ及び／又は考え抜かれていない意図、並びにネガティブなエネルギーは、様々な形でやってくる。よりポジティブでフォーカスされた意図、これらの意図の表現、及びポジティブなエネルギーを生み出すことは、ポジティブな人々の周りにいること、独り言、高揚する音楽、直観的メッセージ、直観で選んだ本、ポジティブな人々の周りにいること、ポジティブな人々とコミュニケーションをとること、ポジティブなアファメーションを実施すること等を含むが、これらに限定されない様々な形態をとることができる。
【０００５】
[0005]  私達は、コミュニケーション、メッセージ、考え、フィーリング、波動等を含むがこれらに限定されない、ポジティブな意図及び表現のエネルギーを発すると、よりポジティブなものを引き寄せる。ニュートンの作用・反作用の法則がここで効果を現す。私達は、ネガティブに考えるか、又は起こって欲しいポジティブな結果にフォーカスしない場合、ネガティブを引き寄せ、集合意識状況が偶然起きることの犠牲になり、これは、終わりのない苦しみのサイクル、及びいつの間にかエネルギーを奪う繰り返しを生み出す。
【０００６】
[0006]  社会として、及び個人としてポジティブな結果を増大させる様々な方法がある。第１に、私達の意図及び表現が私達の生活にいかに影響を及ぼすかについて悟ることである。第２に、ポジティブな意図、集合意識表現、無気力の経験の低減、より大きな全体に結びついた発言、シェア、フィーリング、及び小さな自己よりも大きな何かとの関係をサポートする手段及び方法を生み出すことである。他に、愛、あるがままの自己を受け入れること、過去の怒り及び失望からの自己の解放、全ての人及び物事について執着しているありとあらゆる怒りを手放すこと、他人の行動及び怠慢について他人を批判し批難する理由を探すことを止めること、他人をコントロールしたいという欲望を手放すこと、時間、エネルギー、及びバイタリティを賢く使うこと、クリエイティブなビジュアライゼーション及びイマジネーションを不利益なことではなく利益となることに使うこと、感謝の態度をとること、幸せでいること、瞬間を感謝すること等が挙げられる。
【０００７】
[0007]  意識の進化に伴い、及び意識進化の必要性に伴い、私達は人として、私達の生活及び私達が生きているより大きなコミュニティに貢献する結果に影響を及ぼす能力及び力を有する。自己であろうと、家族であろうと、集団への帰属であろうと、近隣であろうと、都市であろうと、州であろうと、国であろうと、地球であろうと関係なく。
【０００８】
[0008]  自己及び他者に奉仕しながら、シェアし、報い、つながりを感じ、傾聴して貰っていると感じ、頼りにされていると感じ、尊敬されていると感じることは重要であり得る。
【発明の概要】
【０００９】
[0009]  本開示は、カスタマイズ可能であり得る表示装置を提供する。本表示装置は、車両及びヘルメット内部又はその表面上、並びに静止位置等の様々な無生物物体で使用可能であり得る、自己表現をシェアするデジタル画面／ディスプレイであり得る。本表示装置は、センサを有してもよく、又は有さなくてもよい。本表示装置は、無生物物体（例えば、車両）でシェアされる画像及び／又は言葉の形態の個人のカスタマイズ可能でクリエイティブな自己表現を提供することができる。本表示装置は、ユーザと１人又は複数の他の個人との繋がりを可能にし得るとともに、他のユーザに、頼られていること、集合的表現、及び可能な表明等を様々な異なる形態で提供し得る。
【００１０】
[0010]  本開示の表示装置は自己表現をシェアする能力を提供する画面を提供することができ、自己表現は変更可能であり、本表示装置は、言葉、画像、及びそれらの組合せの形態である。本表示装置は、車両のバンパー若しくは表面又は静止位置に、言葉、画像、及びそれらの組合せの形態で個人の動的でクリエイティブな自己表現を有する能力を提供し、繋がりを可能にする画面を提供することができる。本表示装置は、公衆から可視であり得る車両のバンパー、表面又は静止位置に、言葉、画像、及びそれらの組合せの形態で動的な個人の自己表現を作成しシェアする能力を提供し得る画面を提供することができる。本表示装置は、様々な異なる形態で繋がり、頼られていること、集合的表現、及び可能な表明の可能性を提供することもできる。
【００１１】
[0011]  本開示の表示装置は、ユーザが、ユーザが気にし得る物事に社会的に繋がり、知らなかった可能性がある物事についてよりよく学習し、組織、慈善団体、及びイベントに寄付又は資源を提供することにより行動を起こし、個人の博愛主義者になることを可能にするプラットフォームに接続し得るダイナミックライフストロング装置であり得る。本表示装置は、自己表現に関してカスタマイズ可能なバンパーステッカー並びに社会的影響を可能にし得る表現及び社会的関与に関してカスタマイズ可能なダイナミックライフストロングバンドであり得る。
【００１２】
[0012]  幾つかの例では、本表示装置は、自己表現のためにユーザにより使用可能である。本表示装置は、行動及び影響を可能にすることができる自己表現コネクション用のスマートバンパーステッカー等のバンパーステッカーであることができる。本表示装置は、車両（例えば、車両の車両バンパー、フロントウィンドウ、サイドウィンドウ、又はリアウィンドウ）等の無生物物体又はバッグ等の他の物体に搭載することができる。本表示装置は、車両の、デジタルバンパーステッカー等のバンパーステッカーであることができる。
【００１３】
[0013]  本表示装置は、瞬間的にカスタマイズ可能な自己表現を可能にすることができる。本表示装置は、社会的影響を生じさせ得る社会的な繋がり、学習、及び行動実行を可能にすることができるプラットフォームに接続することができる。
【００１４】
[0014]  本表示装置には、ジオロケーションユニットを備えることができ、このユニットは、本表示装置の位置を特定できるようにすることができる。ジオロケーションユニットは、無線三角測量用の全地球測位システム（ＧＰＳ）又は無線受信機（例えば、ＷｉＦｉ）を含むことができる。これにより、あるポイントから別のポイントへの移動中の車両内又は車両が静止している間（例えば、停車若しくは渋滞中）等、本表示装置を様々な場所で使用することができる。
【００１５】
[0015]  本表示装置は、ユーザの電子装置のアプリケーション（アプリ）に接続可能であり得る。アプリは、自己表現、表現を中心とした社会的機会、並びに慈善団体及び組織への資源の流れをサポートすることができる。
【００１６】
[0016]  本表示装置は、容量性タッチスクリーン又は抵抗性タッチスクリーン等のタッチスクリーンを有することができる。タッチスクリーンは、表現のスクロール及び生成、キューのアニメーション機会、並びにビデオ及びフルアニメーションを可能にすることができる。
【００１７】
[0017]  本表示装置は、電力管理機能を有するディスプレイを有することができる。ディスプレイは調光式であることができる。例えば、ディスプレイは、ユーザにより選択されたスケジュール等のスケジュールに従って、又は所与の目標（例えば、寄付目標）の達成等のトリガーイベントが発生すると、暗く若しくはオフに、又はオンにすることができる。ディスプレイの輝度は、周辺光のレベルに基づいて調整可能であることができる。例えば、夜間、ディスプレイは、日中よりも明るくすることができる。
【００１８】
[0018]  本表示装置は、車両に搭載可能及び脱着可能であることができる。本表示装置は、車両に脱着可能に搭載可能であることができる。幾つかの例では、本表示装置は、車に搭載可能及び脱着可能である。
【００１９】
[0019]  本開示の態様は、ユーザにより選択されたメディアを表示又は投射するシステムであって、無生物物体に搭載可能な支持部材と、支持部材に搭載される視覚的湾曲ディスプレイであって、視覚的湾曲ディスプレイは、ユーザにより選択されたメディアを表示又は投射するように構成され、メディアは、テキスト、画像、及びビデオのうちの少なくとも１つを含む、視覚的湾曲ディスプレイと、視覚的湾曲ディスプレイと通信するコントローラであって、コントローラは、ユーザの表示及び／又はロケーション設定又はスケジュールに従ってメディアを表示又は投射するように視覚的湾曲ディスプレイに指示するようにプログラムされる、コントローラとを含む、システムを提供する。
【００２０】
[0020]  幾つかの実施形態では、無生物物体は車両である。幾つかの実施形態では、支持部材はフレームである。幾つかの実施形態では、視覚的湾曲ディスプレイはモジュール式である。幾つかの実施形態では、視覚的湾曲ディスプレイは可撓性を有する。幾つかの実施形態では、本システムは、視覚的湾曲ディスプレイに動作可能に結合された誘導充電可能な電池を更に含む。幾つかの実施形態では、視覚的湾曲ディスプレイは円形、正方形、又は矩形である。幾つかの実施形態では、視覚的湾曲ディスプレイは、支持部材から脱着可能である。幾つかの実施形態では、支持部材は、無生物物体に脱着可能に搭載可能である。
【００２１】
[0021]  幾つかの実施形態では、本システムは、視覚的湾曲ディスプレイをコントローラと通信させる通信バスを更に含む。幾つかの実施形態では、通信バスは、支持部材に搭載される。幾つかの実施形態では、通信バスは、視覚的湾曲ディスプレイをコントローラと無線通信させる通信インタフェースを含む。
【００２２】
[0022]  幾つかの実施形態では、コントローラは支持部材に搭載される。幾つかの実施形態では、視覚的湾曲ディスプレイは発光ダイオード画面である。幾つかの実施形態では、視覚的湾曲ディスプレイはプロジェクタである。幾つかの実施形態では、本システムは、コントローラと通信するカメラ又はセンサ（例えば、光学センサ、サウンドセンサ、又は加速度計）を更に含む。
【００２３】
[0023]  幾つかの実施形態では、本システムは、追加の視覚的湾曲ディスプレイを更に含む。幾つかの実施形態では、追加の視覚的湾曲ディスプレイは、視覚的湾曲ディスプレイと通信する。
【００２４】
[0024]  本開示の別の態様では、ユーザにより選択されたメディアを表示又は投射する方法は、（ａ）（ｉ）無生物物体に脱着可能に搭載された支持部材と、（ｉｉ）支持部材に搭載される視覚的湾曲ディスプレイであって、視覚的湾曲ディスプレイは、ユーザにより選択されたメディアを表示又は投射するように構成され、メディアは、テキスト、画像、及びビデオのうちの少なくとも１つを含む、視覚的湾曲ディスプレイとを提供することと、（ｂ）コンピュータメモリ内のユーザの表示及び／又はロケーション設定又はスケジュールにアクセスすることと、（ｃ）視覚的湾曲ディスプレイを使用して、ユーザの表示及び／又はロケーション設定又はスケジュールに従ってメディアを表示又は投射することとを含む。
【００２５】
[0025]  幾つかの実施形態では、本方法は、メディアを表示又は投射する入力をユーザから受信することを更に含む。幾つかの実施形態では、入力は、視覚的湾曲ディスプレイ又はユーザの電子装置で受信される。幾つかの実施形態では、本方法は、設定又はスケジュールをユーザから受信することと、設定又はスケジュールをコンピュータメモリに記憶することとを更に含む。
【００２６】
[0026]  本開示の別の態様は、ユーザからのメディアへの応答を分析するシステムであって、無生物物体に搭載可能な支持部材と、支持部材に搭載される表示部材であって、表示部材は、ユーザにより選択されるメディアを表示又は投射するように構成され、メディアはテキスト、画像、及びビデオのうちの少なくとも１つを含む、表示部材と、表示部材により表示又は投射されるメディアへの少なくとも１人の個人の応答を示す１つ又は複数の信号を収集するセンサと、表示部材及びセンサと通信するコントローラであって、コントローラは、（ｉ）メディアを表示又は投射するように表示部材を向け、（ｉｉ）センサから１つ又は複数の信号を受信し、（ｉｉｉ）少なくとも部分的にセンサから受信される１つ又は複数の信号に基づいて、応答を決定するようにプログラムされる、コントローラとを含む、システムを提供する。幾つかの実施形態では、少なくとも１人の個人はユーザを含む。
【００２７】
[0027]  幾つかの実施形態では、無生物物体は車両である。幾つかの実施形態では、表示部材は表示画面である。幾つかの実施形態では、表示画面は曲線又は可撓性を有する。幾つかの実施形態では、本システムは、コントローラと通信するカメラを更に含む。
【００２８】
[0028]  幾つかの実施形態では、コントローラは、少なくとも部分的に応答に基づいて、ユーザと少なくとも１人の他の個人との間の関係値の性質を示すスコアを決定するようにプログラムされる。幾つかの実施形態では、コントローラは、ある関係値の性質から別の関係値の性質への遷移間の１つ又は複数のウェイポイントを決定するようにプログラムされる。幾つかの実施形態では、関係値の性質は、信用、信頼、関与、価値生成、断絶、無気力、無関心、及び順守からなる群から選択される。
【００２９】
[0029]  幾つかの実施形態では、コントローラには、ユーザと１人又は複数の他の人又はエンティティとの間の１つ又は複数の関係の性質を決定又は定量化する関係分析エンジンがプログラムされる。
【００３０】
[0030]  本開示の別の態様では、ユーザからのメディアへの応答を分析する方法は、（ａ）（ｉ）無生物物体に搭載される支持部材と、（ｉｉ）支持部材に搭載される表示部材であって、表示部材は、ユーザにより選択されたメディアを表示又は投射するように構成され、メディアはテキスト、画像、及びビデオのうちの少なくとも１つを含む、表示部材と、（ｉｉｉ）表示部材により表示又は投射されるメディアへの少なくとも１人の個人の対応を示す１つ又は複数の信号を収集するセンサとを提供することと、（ｂ）表示部材を使用して、メディアを表示又は投射することと、（ｃ）センサから１つ又は複数の信号を受信することと、（ｄ）少なくとも部分的に、センサから受信される１つ又は複数の信号に基づいて、応答を決定することとを含む。
【００３１】
[0031]  幾つかの実施形態では、本方法は、少なくとも部分的に応答に基づいて、ユーザと少なくとも１人の個人との関係値の性質を示すスコアを決定することを更に含む。幾つかの実施形態では、本方法は、ある関係値の性質から別の関係値の性質への遷移間の１つ又は複数のウェイポイントを決定することを更に含む。
【００３２】
[0032]  本開示の別の態様は、１つ又は複数のコンピュータプロセッサ及びコンピュータプロセッサに結合されるコンピュータメモリを含むコンピュータシステムを提供し、コンピュータメモリは機械実行可能コードを含み、機械実行可能コードは、１つ又は複数のコンピュータプロセッサにより実行されると、上記又は本明細書の他の箇所での任意の方法を実施する。
【００３３】
[0033]  本開示の別の態様は、機械実行可能コードを含むコンピュータ可読媒体を提供し、機械実行可能コードは、１つ又は複数のコンピュータプロセッサにより実行されると、上記又は本明細書の他の箇所での任意の方法を実施する。
【００３４】
[0034]  本開示の追加の態様及び利点は、以下の詳細な説明から当業者に容易に明らかになり、本開示の例示的な実施形態のみが示され説明される。認識されるように、本開示は他の異なる実施形態が可能であり、その幾つかの細部は、様々な明確な点で変更可能であり、これらは全て本開示から逸脱しない。したがって、図面及び説明は、限定的としてではなく例示的な性質のものとして見なされるべきである。
【００３５】
（参照による援用）
[0035]  本明細書において言及される全ての公開物、特許、及び特許出願は、個々の公開物、特許、又は特許出願のそれぞれがまるで、参照により援用されることが特に個々に示されるかのような程度と同じ程度まで参照により本明細書に援用される。参照により援用される公開物及び特許又は特許出願が、本明細書に含まれる本開示と矛盾する限り、本明細書が、任意のそのような矛盾材料よりも優先され、及び／又は上位になることが意図される。
【００３６】
（図面の簡単な説明）
[0036]  本発明の新規の特徴は、添付の特許請求の範囲において特に記載される。本発明の特徴及び利点のよりよい理解が、本発明の原理が利用される例示的な実施形態を記載する以下の詳細な説明と、添付図面（本明細書では「図（figure）」及び「図（FIG.）とも）とを参照することにより得られる。
【図面の簡単な説明】
【００３７】
【図１】表示画面を有する表示装置を示す。
【図２】表示画面を有する別の表示装置を示す。
【図３】車両のリアウィンドウに搭載された表示装置を示す。
【図４】本開示の一実施形態による関係分析エンジンのブロック図を示す。
【図５】本開示の一実施形態での異なる状況による、送信ノードと受信ノードとの間で伝送されるメッセージの流れ図を示す。
【図６Ａ】本開示の一実施形態による、１つ又は複数の関係を特定するためのパラメータの選択を示す。
【図６Ｂ】本開示の一実施形態による、図６Ａの選択に関連付けられた結果及び観測の分析及び表示を示す。
【図７Ａ】本開示の一実施形態による、１つ又は複数の関係を特定するためのパラメータの選択を示す。
【図７Ｂ】本開示の一実施形態による、図７Ａの選択に関連付けられた１つ又は複数の関係の分析及び表示を示す。
【図８】本開示の一実施形態による、ある関係値の性質から別の関係値の性質への遷移間のウェイポイントの図を示す。
【図９】本開示の一実施形態による、ある関係値の性質から別の関係値の性質への遷移間のウェイポイントの別の図を示す。
【図１０】本開示の一実施形態による、関係値の性質と、過去値、現在値、及び予測値を表すアイコンを有する関連付けられた関係インジケータとを示す。
【図１１Ａ】本開示の表示装置と併用することができるクラウド基盤の実施形態を示す。
【図１１Ｂ】本開示の表示装置と併用することができるクラウド基盤の実施形態を示す。
【図１１Ｃ】本開示の表示装置と併用することができるクラウド基盤の実施形態を示す。
【図１１Ｄ】本開示の表示装置と併用することができるクラウド基盤の実施形態を示す。
【図１１Ｅ】本開示の表示装置と併用することができるクラウド基盤の実施形態を示す。
【図１２】本開示の表示装置と併用することができるモバイル又は計算装置の実施形態を示す図である。
【図１３】本開示の表示装置と併用することができるモバイル又は計算装置の実施形態を示す図である。
【図１４】本開示の表示装置と併用することができるモバイル又は計算装置の実施形態を示す図である。
【図１５】発光ダイオード（ＬＥＤ）駆動回路を示す。
【図１６Ａ】モバイル装置等の様々な物体に搭載することができる表示装置を示す。
【図１６Ｂ】モバイル装置等の様々な物体に搭載することができる表示装置を示す。
【図１６Ｃ】モバイル装置等の様々な物体に搭載することができる表示装置を示す。
【図１６Ｄ】モバイル装置等の様々な物体に搭載することができる表示装置を示す。
【図１６Ｅ】モバイル装置等の様々な物体に搭載することができる表示装置を示す。
【図１６Ｆ】モバイル装置等の様々な物体に搭載することができる表示装置を示す。
【図１６Ｇ】モバイル装置等の様々な物体に搭載することができる表示装置を示す。
【図１７】本明細書に提供される方法を実施するようにプログラムされるか、又は別の方法で構成されたコンピュータ制御システムを示す。
【図１８】制御ユニットを示す。
【図１９Ａ】メディア及び表現を表示するアプリケーション（アプリ）のオンボードプロセスの画面例を示す。
【図１９Ｂ】メディア及び表現を表示するアプリケーション（アプリ）のオンボードプロセスの画面例を示す。
【図２０Ａ】アプリ上のユーザのプロファイルの画面例を示す。
【図２０Ｂ】アプリ上のユーザのプロファイルの画面例を示す。
【図２１Ａ】アプリの設定を示す。
【図２１Ｂ】アプリの設定を示す。
【図２２Ａ】アプリのキューを示す。
【図２２Ｂ】アプリのキューを示す。
【図２３Ａ】寄付と引き換えに表現を表示することに関わる画面例を示す。
【図２３Ｂ】寄付と引き換えに表現を表示することに関わる画面例を示す。
【図２４Ａ】アプリで表現を作成する様々な段階を示す。
【図２４Ｂ】アプリで表現を作成する様々な段階を示す。
【図２４Ｃ】アプリで表現を作成する様々な段階を示す。
【図２４Ｄ】アプリで表現を作成する様々な段階を示す。
【図２４Ｅ】アプリで表現を作成する様々な段階を示す。
【図２４Ｆ】アプリで表現を作成する様々な段階を示す。
【図２４Ｇ】アプリで表現を作成する様々な段階を示す。
【図２５】ユーザが他の個人を招待することができるアプリの画面例を示す。
【図２６】本開示の表示装置と併用可能なプロファイルを表示するアプリケーション（アプリ）を有する様々な電子装置を示す。
【図２７】ユーザが、表示装置により提示又は表示される表現又は表現群を選択することができるアプリの画面例を示す。
【図２８Ａ】表示装置により表示又は投射する表現を作成又は編集するプロセスの画面例を示す。
【図２８Ｂ】表示装置により表示又は投射する表現を作成又は編集するプロセスの画面例を示す。
【図２８Ｃ】表示装置により表示又は投射する表現を作成又は編集するプロセスの画面例を示す。
【図２８Ｄ】表示装置により表示又は投射する表現を作成又は編集するプロセスの画面例を示す。
【図２８Ｅ】表示装置により表示又は投射する表現を作成又は編集するプロセスの画面例を示す。
【図２９Ａ】車両に搭載された表示装置を示す。
【図２９Ｂ】車両に搭載された表示装置を示す。
【図３０Ａ】無生物物体に搭載された表示装置の様々な例を示す。
【図３０Ｂ】無生物物体に搭載された表示装置の様々な例を示す。
【図３０Ｃ】無生物物体に搭載された表示装置の様々な例を示す。
【図３０Ｄ】無生物物体に搭載された表示装置の様々な例を示す。
【図３０Ｅ】無生物物体に搭載された表示装置の様々な例を示す。
【図３０Ｆ】無生物物体に搭載された表示装置の様々な例を示す。
【図３０Ｇ】無生物物体に搭載された表示装置の様々な例を示す。
【発明を実施するための形態】
【００３８】
[0065]  本発明の様々な実施形態について本明細書に示し説明したが、そのような実施形態が単なる例として提供されることが当業者には明らかである。本発明から逸脱せずに、多くの変形、変更、及び置換を当業者は思い付き得る。本明細書に記載される本発明の実施形態への様々な代替を利用し得ることを理解されたい。
【００３９】
[0066]  「メディア」という用語は、本明細書で使用される場合、一般にテキスト、サウンド、画像、又はビデオを指す。メディアは、テキスト、サウンド、画像、及び／又はビデオの組合せを含むことができる。メディアは、テキスト及び画像、テキスト及びビデオ、又はビデオを含むことができる。メディアの例は、テキストファイル、オーディオファイル、画像ファイル、又はビデオファイルを含む。メディアはユーザにより編集可能であり得る。メディアは広告を含むことができる。
【００４０】
[0067]  本明細書で使用される場合、「エンジン」という用語は、目的を遂行するために使用することができるソフトウェア、ファームウェア、ハードウェア、又は他の構成要素を指す。エンジンは通常、不揮発性メモリ（補助メモリとも呼ばれる）に記憶されたソフトウェア命令を含む。ソフトウェア命令が実行されると、ソフトウェア命令の少なくともサブセットは、プロセッサによりメモリ（主メモリとも呼ばれる）にロードすることができる。次に、プロセッサはメモリ内のソフトウェア命令を実行する。プロセッサは、共有プロセッサ、専用プロセッサ、又は供給プロセッサ若しくは専用プロセッサの組合せであり得る。典型的なプログラムは、ハードウェア構成要素（Ｉ／Ｏ装置）への呼び出しを含み、これは通常、ドライバの実行を必要とする。ドライバは、エンジンの部分として考慮されることもあれば、されないこともあるが、その区別は重要ではない。
【００４１】
[0068]  本明細書で使用される場合、「データベース」という用語は、中央であるか、分散であるか、関係データベースであるか、それとも他のデータベースであるかに関係なく、データを記憶する任意の既知又は好都合な手法を包含するように広く使用される。
【００４２】
[0069]  本明細書で使用される場合、「モバイル装置」は、Apple（登録商標）社のiPhone（登録商標）等のセル電話、AppleのiPod Touches（登録商標）、AppleのiPads（登録商標）、Google（登録商標）社のAndroid（登録商標）オペレーティングシステムに基づくモバイル装置等の他のポータブル電子装置、並びに少なくとも信号を受信し、必要であれば復号化し、トランザクションサーバと情報を交換して、購入者及び／又は販売者のアカウント情報を検証し、トランザクションを実行し、レシートを生成することが可能なソフトウェア、ファームウェア、ハードウェア、又はそれらの組合せを含む任意の他のポータブル電子装置を含むが、これらに限定されない。モバイル装置の典型的な構成要素は、フラッシュＲＯＭのような永続的メモリ、ＳＲＡＭのようなランダムアクセスメモリ、カメラ、電池、ＬＣＤドライバ、ディスプレイ、セルラアンテナ、スピーカ、BLUETOOTH（登録商標）回路、及びＷＩＦＩ回路を含み得るが、これらに限定されず、ここで、永続的メモリは、モバイル装置のプログラム、アプリケーション、及び／又はオペレーティングシステムを含み得る。
【００４３】
[0070]  本明細書で使用される場合、「ソーシャルネットワーク」及び「ＳＮＥＴ」という用語は、装置及び／又は個人のグループ又はソーシャル構造、並びにそのような装置及び／又は個人間の結び付き、リンク、及び相互依存性を含む。ＳＮＥＴ内又はＳＮＥＴに加入しているメンバ又はアクタ（装置を含む）は、本明細書では、「ノード」、「ソーシャル装置」、「ＳＮＥＴメンバ」、「ＳＮＥＴ装置」、「ユーザ装置」、及び／又は「モジュール」と呼ばれることがある。加えて、「ＳＮＥＴサークル」、「ＳＮＥＴグループ」、及び「ＳＮＥＴサブサークル」という用語は一般に、ソーシャル装置を含むソーシャルネットワークを示し、文脈的に適切である場合、人間であるＳＮＥＴメンバ及びパーソナルエリアネットワーク（「ＰＡＮ」）を示す。
【００４４】
[0071]  本明細書で使用される場合、「画面」という用語は一般に、ユーザによる閲覧のためにメディアを提供することができるディスプレイを指す。画面には、車両、車両のバンパーサイド、ヘルメット、公衆に面し、公衆及び車両内外の他の人が、画面に表示されている物が何であれ、それを閲覧し、及び又は読むことができるようにする車両の表面等の無生物物体を関連付けることができる。画面は窓であることができる。画面は、静止位置にあることもできる。
【００４５】
[0072]  本明細書で使用される場合、「コンピュータ」という用語は、有限集合の算術演算又は論理演算を実行するようにプログラムすることができる装置である。コンピュータは、仕立てられた機能又は目的に向けてプログラムすることができる。一連の動作は容易に変更することができるため、コンピュータは、二種類以上の問題を解決することができる。コンピュータは、少なくとも１つの処理要素、通常は一形態のメモリを有する中央演算処理装置（ＣＰＵ）の含むことができる。記憶された情報に基づいて動作の順序を変更することができるシーケンシング・制御ユニットを含めることができる。周辺機器により、情報を外部ソースから検索し、動作の結果を保存し検索することができる。
【００４６】
[0073]  本明細書で使用される場合、「インターネット」という用語は、標準インターネットプロトコルスイート（ＴＣＰ／ＩＰ）を使用して、何十億人もの世界中のユーザにサービングする相互接続されたコンピュータネットワークのグローバルシステムである。インターネットは、広範囲の電子、無線、光学ネットワーキング技術によりリンクされたローカルからグローバル範囲の何百万ものプライベートネットワーク、パブリックネットワーク、アカデミックネットワーク、ビジネスネットワーク、及び政府ネットワークを含み得る。インターネットは、ワールドワイドウェブ（ＷＷＷ）の相互リンクされたハイパーテキスト文書及び電子メールをサポートする基盤等の広範囲の情報リソースサービスを搬送する。インターネットの通信基盤は、アーキテクチャの様々な側面を制御するハードウェア構成要素及びソフトウェアレイヤのシステムを含み得る。
【００４７】
[0074]  本明細書で使用される場合、「エクストラネット」という用語は、外部からの被制御アクセスを可能にするコンピュータネットワークである。エクストラネットは、他の全てのインターネットユーザから分離して、提携企業、ベンダー、供給業者であることができる組織外のユーザに拡張される組織のイントラネットの拡張であることができる。エクストラネットは、公開インターネット又は一般大衆はアクセスできず、２つ以上の企業の管理者により管理される幾つかの他の伝送システムにマッピングされるイントラネットであることができる。エクストラネット様式のネットワークの例としては、複数の組織に属し、相互接続され、リモートダイアルアップを使用してアクセスされるＬＡＮ又はＷＡＮ、複数の組織に属し、相互接続され、専用回線を使用してアクセスされるＬＡＮ又はＷＡＮ、複数の組織に属し、公衆回線、時にはＩＳＰを介してセキュアで、幾つかの場合では暗号化されたネットワーク接続を生成する特別な「トンネリング」ソフトウェアを使用して、リモートユーザに使用を拡張するＬＡＮ又はＷＡＮで構成される仮想プライベートネットワーク（ＶＰＮ）が挙げられるが、これらに限定されない。
【００４８】
[0075]  本明細書で使用される場合、「イントラネット」という用語は、セキュリティポリシー及びネットワーク管理を制御する１つの組織により所有されるネットワークである。イントラネットの例としては、ローカルエリアネットワーク（ＬＡＮ）、ダイアルアップアクセスを用いてリモート従業員に使用を拡張するＬＡＮで構成し得る広域ネットワーク（ＷＡＮ）、専用通信回線を使用して相互接続されたＬＡＮで構成されるＷＡＮ、公衆回線、時にはインターネットサービスプロバイダ（ＩＳＰ）を介してセキュアで、幾つかの場合では暗号化された接続を生成する特別な「トンネリング」ソフトウェアを使用して、リモート従業員又はネットワークに使用を拡張するＬＡＮ又はＷＡＮで構成される仮想プライベートネットワーク（ＶＰＮ）が挙げられるが、これらに限定されない。
【００４９】
[0076]  本開示では、インターネット、エクストラネット、及びイントラネットはまとめて（「ネットワークシステム」）と呼ばれる。
【００５０】
[0077]  本明細書で使用される場合、「ユーザ」という用語は、本開示の装置、システム、及び方法を使用する人物を含むが、それに限定されない。ユーザは、習慣、エクササイズ、ダイエット、医学的状況及び治療、キャリア、金融、感情状態等を含むがこれらに限定されない、日常生活の過ごし方を含むがこれらに限定されない、健康の維持に興味を持ち、健康的なライフスタイル及び／又は生理学的バランスを維持することに興味を持ち、ライフスタイルの状況のモニタリングに興味を持つことに興味を持つ人物であり得る。ユーザは、医師のケアを受けている人物であり得る。
【００５１】
[0078]  一実施形態では、ユーザは、ユーザが好きな別の画面を見ることができ、それをユーザの各自のディスプレイにアップロードし、参加して、メッセージをシェアする方法がある。
【００５２】
[0079]  本開示の表示装置は、ユーザが自己表現を持てるようにする。自己表現は、変更可能であり得、言葉、画像、ビデオ、及びそれらの組合せの形態であり得る。
【００５３】
[0080]  幾つかの実施形態では、画面は、車、トラック、バス、若しくは任意の他の同等の車両のリアウィンドウ又は家の窓のような静止位置に取り付けられる物理的な画面である。画面は、二輪車又はヘルメットの後ろに取り付けられる画面であることができ、自転車、スクーター、及びそれらに関わるヘルメットの後に取り付けることができる。画面は、窓を有する全ての車両に組み込むことができる。画像、言葉、テキスト等をリアウィンドウに投射することができる。画像、言葉、又はテキストは、車、トラック、二輪車、スクーター、自転車等のリアバンパーに投射することができる。画面は、リアバンパー自体に組み込むことができる。画像、言葉、及びテキストは、小型プロジェクタから、トラックを含むがこれに限定されない、本明細書に記載される先の車両のうちの任意の車両のサイドに投射することができる。画面は、巡回するカスタマイズ可能な自己表現ビルボードであることができる。この画面は、表現ビルボードとして家の窓に使用することもできる。上述したように、全車両のリアバンパーに組み込むことができる。一実施形態では、画面は、非従来型の画面であることもでき、代わりに先の全てでホログラフ又はホログラムであることもできる。
【００５４】
[0081]  画面及び先の構造体の全ては、画面及び本明細書に記載される他の構造体の管理及び他の関連する活動に使用することができるメッセージに関連付けられたサイトから、これら全てにおける機会として提供されるグローバルな繋がりを提供することができる。
【００５５】
[0082]  非限定的な例として、本開示は、集約表現、全国を移動又は通勤するトラック及びドライバーの収入源、良いことをするための、コミュニティの一員となるための、表現セッションのために人々の１つ又は複数のコミュニケーション及び／又はアソシエーションに参加するための共同表現のダッシュボードを提供する。
【００５６】
（表示装置）
[0083]  本開示の態様は、ユーザにより選択されたメディアを表示又は投射するシステムを提供し、このシステムは、無生物物体に搭載可能な支持部材と、支持部材に搭載されるディスプレイとを含む。ディスプレイは、視覚的湾曲ディスプレイであることができる。ディスプレイは、ユーザにより選択されたメディアを表示又は投射するように構成することができ、メディアは、テキスト、画像、及びビデオのうちの少なくとも１つを含む。支持部材及びディスプレイは、表示装置内に含むことができる。システムは、ディスプレイと通信するコントローラを更に含むことができる。コントローラは、ユーザの表示及び／又はロケーション設定又はスケジュールに従ってメディアを表示又は投射するようにディスプレイに指示するようにプログラムすることができる。
【００５７】
[0084]  無生物物体は車両、建物、又は他の物体であることができる。例えば、無生物物体は、車、トラック、スクーター、自転車、又は二輪車等の車両である。別の例として、無生物物体はボート、飛行機、又はヘリコプターである。別の例として、無生物物体は、建物の壁又は建物の窓等の建物である。別の例として、無生物物体は、帽子、キャップ、バイザー、日除け帽、ソフト帽、シャツ、ジャケット、パンツ、ヘッドバンド、リストバンド、アームバンド、ネックレス、ビーニー帽、ベルトループ、ベルトバックル、ヘルメット（例えば、二輪車又は自転車のヘルメット）、バックパック、ブリーフケース、キャリーケース、保護ケース（例えば、スマートフォンケース）、スーツケース、又はカート（例えば、ストアカート）である。
【００５８】
[0085]  例えば、無生物物体は、モバイル電子装置の表示装置から離れたほうに面したキャリーケース又は保護ケースのサイドに搭載又は組み込まれる等の内部に搭載又は組み込まれた表示装置を有するモバイル電子装置（例えば、スマートフォン）のキャリーケース又は保護ケースである。別の例として、無生物物体は、サイドパネル又はリアパネルと、サイドパネル又はリアパネルに搭載又は組み込まれた表示装置とを有する帽子である。
【００５９】
[0086]  表示装置の向きは調整可能であることができる。幾つかの例では、ユーザは、表示装置を回すか、又は傾けることができる。例えば、表示装置は楕円形であり、長軸を無生物物体の上部から下部に向けた状態で無生物物体にまず搭載され、ユーザは、長軸が無生物物体の左の部分から右の部分に向けられるように、表示装置を９０度回転させることができる。
【００６０】
[0087]  表示装置は、単一のメディア（例えば、表現）を表示又は投射する単一のセクションを有することができる。代替として、表示装置は、各セクションに異なるメディア等の各セクションにメディアを表示する複数のセクション（例えば、サイドセクション、中央セクション、及び別のサイドセクション）を有することができる。
【００６１】
[0088]  表示装置は、電子表示画面を有することができる。例えば、表示装置は、容量性タッチスクリーン又は抵抗性タッチスクリーン等のタッチスクリーンを有することができる。タッチスクリーンは、表現をスクロール及び作成できるようにし、キュー並びにビデオ及びフルアニメーションのアニメーション機会を可能にすることができる。代替として、表示装置は、無生物物体の表示面等にメディア（例えば、表現）を投射する１つ又は複数のプロジェクタを有することができる。
【００６２】
[0089]  無生物物体は、人間等の生物に搭載又は搭載可能であることができる。表示装置は、無生物物体に搭載若しくは搭載可能であることができるか、又は無生物物体の本体に組み込むことができる。例えば、表示装置は、車両の本体（例えば、サイドパネル又は窓）に組み込むことができる。
【００６３】
[0090]  支持部材はフレームであることができる。フレームは様々な形状及びサイズを有することができる。フレームは、円形、楕円形、長円形、三角形、正方形、矩形、又はそれらの部分形状若しくは組合せを有することができる。幾つかの例では、支持部材は円形又は長円形である。幾つかの場合、支持部材は、約０．１メートル（ｍ）〜約５０ｍ又は約１ｍ〜約１０ｍのサイズを有することができる。支持部材は、少なくとも約０．１ｍ、約１ｍ、約５ｍ、約１０ｍ、約２０ｍ、約３０ｍ、約４０ｍ、又は約５０ｍであるサイズを有することができる。
【００６４】
[0091]  ディスプレイはモジュール式であることができる。これにより、ディスプレイは他のディスプレイ等の他の構成要素と結合することができる。幾つかの場合、システムは１つ又は複数の追加のディスプレイを含むことができる。１つ又は複数の追加のディスプレイは、ディスプレイと通信することができる。例えば、追加の各ディスプレイは、支持部材又は別個の支持部材に搭載可能であることができる。別個の支持部材が利用される場合、別個の支持部材は支持部材に搭載可能であり得、又はこの逆が可能であり得る。例えば、支持部材は、支持部材を互いと結合して、より大きな表示装置を形成できるようにする搭載部材（例えば、クリップ又はインターロック）を側部に含むことができる。結合されると、個々の表示装置は、別個のメディアを提供するか、又は互いと通信して、同じメディア又は同じメディアの部分を提供することができる。例えば、単一の画像の部分は、個々の装置を通して表示することができる。
【００６５】
[0092]  ディスプレイ及び／又は支持部材は可撓性を有することができる。これにより、ユーザはディスプレイ及び／又は支持部材を所望に応じて曲げるか、又は回すことができる。ユーザは、ディスプレイ及び／又は支持部材を任意の所望又は所定の形状又は構成に整形することができる。
【００６６】
[0093]  システムは、ディスプレイ及び／又はコントローラに動作可能に結合される、電池等のエネルギー貯蔵装置を含むことができる。電池は、リチウムイオン電池等の固体状態電池であることができる。電池は、例えば、ユニバーサルシリアルバス（ＵＳＢ）ポートを通して、システムの充電ポート等を通して充電可能であることができる。代替又は追加として、電池は誘電充電可能であることができる。
【００６７】
[0094]  ディスプレイは様々な形状及びサイズを有することができる。ディスプレイは、三角形、円形、楕円形、長円形、正方形、矩形、又はそれらの形状の部分的形状若しくは組合せであることができる。幾つかの例では、ディスプレイは円形又は楕円形である。
【００６８】
[0095]  幾つかの例では、ディスプレイは、円形若しくは楕円形を有する視覚的湾曲ディスプレイであるか、又は円形若しくは楕円形の特徴を有する。例えば、ディスプレイは、円形若しくは略円形であるか、又は部分的若しくは完全に円形である側部若しくは角を有する別の形状（例えば、正方形若しくは矩形）である。
【００６９】
[0096]  ディスプレイは、支持部材から脱着可能であることができる。代替として、ディスプレイは、支持部材から脱着可能ではない。支持部材は、無生物物体に脱着可能に搭載可能であることができる。代替として、支持部材は、無生物物体から脱着可能ではない。
【００７０】
[0097]  システムは、ディスプレイをコントローラと通信させる通信バスを含むことができる。通信バスは、ＰＣＢ等の回路基板であることができる。通信バスは支持部材に搭載することができる。幾つかの例では、通信バスは、ディスプレイをコントローラと無線通信させる通信インタフェース（例えば、Bluetooth又はＷｉＦｉ）を含む。
【００７１】
[0098]  コントローラは支持部材に搭載することができる。幾つかの例では、コントローラは担体であるか、又は支持部材に統合することができる。代替として、コントローラは支持部材と別個であることができる。
【００７２】
[0099]  幾つかの例では、支持部材は熱可塑性材料等のポリマー材料で形成される。ディスプレイは、有機ＬＥＤ（ＯＬＥＤ）等の発光ダイオード（ＬＥＤ）で形成することができる。コントローラは、可撓性を有することができるプリント回路基板（ＰＣＢ）を含むことができる。代替として、ディスプレイは、衣服又は他の物体（例えば、表示画面）等の表示表面にメディアを投射することができるプロジェクタである。
【００７３】
[00100]  システムは、コントローラと通信するカメラを含むことができる。カメラは電荷結合カメラ（ＣＣＤ）であることができる。カメラは、ユーザ又は他の個人等の他の物体の画像又はビデオを捕捉できるようにすることができる。これにより、システムはメディアへの応答を測定する（gauge）ことができる。
【００７４】
[00101]  コントローラは、ディスプレイを通して、ユーザにより選択された向きで表示又は投射されるようにメディアを向けるようにプログラムすることができる。これにより、ユーザは、メディアが意図されるように表示又は投射されるかを気にせずに、ユーザの体に支持部材を搭載することができる。代替又は追加として、コントローラは、ディスプレイを通して、重力加速ベクトルと平行な方向に沿って表示又は投射されるようにメディアを向けるようにプログラムすることができる。
【００７５】
[00102]  システムはジャイロスコープを含むことができる。ジャイロスコープは、コントローラがディスプレイの向きを特定できるようにする。
【００７６】
[00103]  システムは、適切な加速度を測定する加速度部材を含むことができる。加速度部材は加速度計であることができる。加速度部材は、コントローラに動作可能に結合する（例えば、通信する）ことができる。
【００７７】
[00104]  システムは、表示装置に動作可能に結合されるか、又は表示装置に含まれる１つ又は複数のセンサを含むことができる。センサは、光学センサ、サウンドセンサ、振動センサ、加速度計、ジオロケーションセンサ（例えば、ＧＰＳ）であることができる。システムはカメラを含むことができる。例えば、表示装置は、帽子のフロントパネルに搭載され、１つ又は複数のセンサが、帽子のサイドパネル及びリアパネルに搭載される。例えば、１つ若しくは複数のセンサにより検出される動き又は周辺光状況の変化等のトリガーイベント時、１つ又は複数のセンサにより、表示装置上のメディアを変更することができる。
【００７８】
[00105]  本開示の別の態様は、ユーザにより選択されたメディアを表示又は投射する方法を提供し、この方法は、（ｉ）無生物物体に脱着可能に搭載される支持部材と、（ｉｉ）支持部材に搭載されるディスプレイとを提供することを含む。ディスプレイは、上記又は本明細書の他の箇所に記載されるようなものであることができる。例えば、ディスプレイは、ユーザにより選択されたメディアを表示又は投射するように構成することができ、メディアは、テキスト、画像、及びビデオのうちの少なくとも１つを含む。次に、コンピュータメモリ内のユーザの表示及び／又はロケーション設定又はスケジュールにアクセスすることができる。次に、視覚的湾曲を使用して、ユーザの表示及び／又はロケーション設定又はスケジュールに従ってメディアを表示又は投射することができる。
【００７９】
[00106]  メディアは、ユーザにより選択された向きでディスプレイを通して表示又は投射されるように向けることができる。メディアは、重力加速ベクトルに平行する方向に沿ってディスプレイを通して表示又は投射されるように向けることができる。
【００８０】
[00107]  方法は、メディアを表示又は投射する入力をユーザから受信することを含むことができる。入力は、ディスプレイ又はユーザの電子装置で受信することができる。
【００８１】
[00108]  方法は、表示及び／又はロケーション設定又はスケジュールをユーザから受信することを含むことができる。表示及び／又はロケーション設定又はスケジュールは、コンピュータメモリに記憶することができる。表示及び／又はロケーション設定又はスケジュールは、ユーザのモバイル電子装置から受信することができる。
【００８２】
[00109]  方法は、ユーザの移動を検出することを含むことができる。移動が検出されると、メディアを表示又は投射することができる。
【００８３】
[00110]  本開示の表示装置（例えば、ウェアラブル装置）は、様々な特徴を含むことができる。表示装置は、タッチスクリーン（例えば、容量性タッチスクリーン）、ＧＰＳ、及び加速度計を有するディスプレイを有することができる。加速度計は、例えば、移動検出及び電力管理並びにディスプレイの画像（又は表現）が常に、適切な向き（例えば、北／南又は上／下）を有することを確実にするために使用し得る。ディスプレイは、カスタマイズ可能な自己表現及びコネクションオプションを可能にするプラットフォームに接続するためのものであることができる。表示装置は、ユーザ又は他の物体に容易に搭載可能であり得、ユーザ又は他の物体から容易に脱着可能であり得る。表示装置は磁石を用いて搭載可能であり得、それにより、ユーザは、磁石をとる必要なく、表示装置を搭載及び脱着可能であり得る。代替として、表示装置は吸引ユニット（例えば、１つ又は複数の吸引カップ）を用いて搭載可能であり得、それにより、例えば、表示装置を略平らな表面（例えば、ガラス面）に搭載することが可能になり得る。表示装置は、電池等のエネルギー貯蔵ユニットを有することができる。表示装置は、少なくとも部分的に又は完全に太陽エネルギーから給電し得る。そのような場合、表示装置は太陽電池を含むことができる。表示装置は電子ペーパーディスプレイ（「Ｅインク」）を有し得、これは電気泳動インクを有し得る。そのようなディスプレイは、消費電力の低減又は低消費電力で使用可能であり得る双安定ディスプレイであり得る。
【００８４】
[00111]  これより、同様の番号が全体を通して同様の部分を指す図を参照する。図及び図中の特徴は必ずしも一定の縮尺で描かれていないことが理解される。
【００８５】
[00112]  図１は、表示画面１０１を有する表示装置１００を示す。表示装置１００は、上述したようなものであることができる。表示画面１０１は、様々な形状及びサイズを有することができる。例えば、表示画面１０１は曲線をなすことができる（例えば、円形又は楕円形）。表示装置１００及び表示画面１０１は、様々なフォームファクタを有することができる。例えば、表示装置１００は、ピン又はボタンの形態であることができる。
【００８６】
[00113]  図２は、表示画面２０１を有する表示装置２００を示す。表示装置２００は、上述したようなものであることができる。表示画面２０１は、様々な形状及びサイズを有することができる。例えば、表示画面２０１は曲線をなすことができる（例えば、円形又は楕円形）。表示装置２００はセンサ２０２を更に含む。センサ２０２は、光又は音等の様々な信号をユーザ又はユーザの環境から捕捉することができる。センサ２０２はカメラであることができ、カメラは、画像又はビデオをユーザ又は他の個人等の他の物体から捕捉することができる。表示装置２００及び表示画面２０１は、様々なフォームファクタを有することができる。例えば、表示装置２００は、ピン又はボタンの形態であることができる。
【００８７】
[00114]  本開示の表示装置は、建物及び車両等の様々な物体に搭載可能である。図３は、車両リアウィンドウに搭載又は組み込まれた表示装置３０１を示す。表示装置は円形であるが、他の形状を使用することもできる。例えば、表示装置は三角形、正方形、又は矩形であることができる。表示装置は、リアウィンドウに対して、車両の内外に搭載し得る。表示装置は、限定ではなく、車両のバンパー（例えば、表示装置はバンパーステッカーであることができる）又は他の窓（例えば、サイドウィンドウ又はフロントウィンドウ）を含め、車両の様々な他の場所に搭載することができる。表示装置３０１は、車両の窓の一部に搭載し得る。
【００８８】
[00115]  図２９Ａ及び図２９Ｂは、車両２９０２に搭載される表示装置２９０１を示す。表示装置は、表現包含メディア（「LoveLife」）を表示又は投射する。表示装置２９０１は、窓又は車両本体等の車両２９０２の様々な場所に搭載することができる。表示装置２９０１は、表示装置を車両２９０２に搭載できるようにする、幾つかの場合、車両２９０２に脱着可能に搭載できるようにする支持部材を含むことができる。支持部材は、車両に搭載するための磁石又は吸引アタッチメントを含むことができる。
【００８９】
[00116]  表示装置２９０１は電池により給電することができる。代替又は追加として、表示装置２９０２は太陽電池により給電することができる。
【００９０】
[00117]  表示装置２９０１は、車両の本体又は窓を比較的邪魔しないものであり得る。表示装置２９０１は、車両の表面積の比較的小さな部分を専有し得る。例えば、表示装置２９０１は、車両の表面積の多くとも２０％を占有し得る。これにより、ユーザは、他のドライバーの気を散らさず、それでもなおユーザが、ユーザの表示スケジュール又は設定等に従ってメディアを表示できるようにするように、メディア（例えば、表現）を表示又は投射することができる。
【００９１】
[00118]  表示装置２９０１は、磁石、吸引ユニット、又は接着ユニット等、様々なアタッチメントを使用して、車両２９０２に搭載可能であり得る。表示装置２９０１は、車両２９０２のバンパー（フロント若しくはリア）、フロントウィンドウ若しくはウィンドシールド、リアウィンドウ（例えば、図３参照）、サイドウィンドウ、ドア、又はルーフに搭載することができる。表示装置は、車両２９０２の内側又は外側に搭載することができる。例えば、表示装置は、車両２９０２のリアウィンドウ又は車両２９０２のサイドウィンドウの内側に搭載することができる。
【００９２】
[00119]  表示装置２９０１は、様々な特徴を有することができる。例えば、表示装置２９０１は調光し得る。車両２９０２が３０マイル／ｈ（ＭＰＨ）未満等の所与の閾値以下で移動しているとき、車両２９０２が停止するか、若しくは速度０ＭＰＨに近づきつつあるとき、又は車両２９０２が減速しているとき、表示装置によりメディアを表示又は投射し得る。表示装置２９０１は、メディアを提示するか、若しくは隠す、又はメディアを変更するトリガーイベントとして、車両２９０２の速度、加速、又は減速を検出し得る。例えば、車両２９０２の減速が検出されたとき、メディアを提示し得る。これにより、表示装置２９０１は、他のドライバーの気を散らさないことができる。表示装置２９０１は、移動を検出する加速度計及び速度を特定するジオロケーションユニット（例えば、ＧＰＳ）含むことができる。
【００９３】
[00120]  表示装置２９０１は、光を検出するセンサを有し得る。表示装置は、ユーザの表示及び／又はロケーション設定又はスケジュール又は時間等の他のファクタに従って、増減する輝度を有し得る。例えば、表示装置２９０１は、夜間、輝度を低減し、日中、輝度を増大させるか、又はこの逆を行うことができる。輝度は、光が表示装置２９０１に投射しているか否かに基づいて増減し得る。例えば、別の車からのヘッドライトが表示装置２９０１に光を当てている状況では、輝度を増大し得る。
【００９４】
[00121]  表示装置は、メディア（例えば、表現）を表面に表示するか、又はメディアを表面に投射することができる。表示面は、メディアの表示又は投射に専用であるか、又は割り振ることができる。幾つかの例では、表示装置は、メディアを車両本体の表面に投射することができる。例えば、表示装置は、メディアをトラックのバックパネルに投射する。別の例として、表示装置は、メディアを車両の窓に表示又は投射する。
【００９５】
[00122]  表示装置は、無生物物体の本体に組み込むことができる。例えば、図２９Ａ及び図２９Ｂを参照すると、表示装置２９０１は、車両２９０２の本体に組み込むことができる。代替として、表示装置２９０１は、ナンバープレート又はナンバープレートホルダにあることができる。表示装置２９０１は、表示画面（例えば、ＬＥＤ画面）又は表示面に投射するプロジェクタであることができる。
【００９６】
[00123]  本開示は、言葉、画像、及びそれらの組合せの形態である、変更可能な自己表現を有する能力を提供することができる表示装置を提供する。
【００９７】
[00124]  別の実施形態では、画面は、言葉、画像、及びそれらの組合せの形態である、変更可能な個人のクリエイティブな自己表現を有する能力を提供する。
【００９８】
[00125]  本開示は、言葉、画像、及びそれらの組合せの形態でダイナミックな個人のクリエイティブ自己表現をユーザが有することを可能にし、繋がりを可能にし得る画面を提供する。画面は、言葉、画像、ビデオ及びそれらの組合せの形態でダイナミックな個人のクリエイティブ自己表現を有する能力を提供し、様々な異なる形態での表明を可能にし得る。
【００９９】
[00126]  本開示は、技術とファッションとを結合して、クリエイティブな自己表現、繋がり、及び表明の機会をユーザに提供する、搭載可能でカスタマイズ可能なデジタル表示装置を提供する。幾つかの例では、表示装置は、例えば、表現を作るメッセージ及び又は図の有形配信システムを提供する画面を含む。
【０１００】
[00127]  画面は、画像、複雑な言葉及びメッセージ、並びにテキストを表示し、アップロード、表示、目標を無線で表示する。画面は、ユーザ又は第三者のモバイル装置を使用して、通信することができる。画面は、モバイル装置と通信する。
【０１０１】
[00128]  一実施形態では、画面は、受信する情報に基づいて色を変更し得る王冠である。
【０１０２】
[00129]  様々な実施形態では、画面は、可撓性を有することができるディスプレイ又は画面を含むことができる。
【０１０３】
[00130]  他の実施形態では、画面は、意図的に及び個人からグローバルへの表現を通してポジティブな社会変化及び環境変化に影響を及ぼす能力を有する、画面ユーザにより利用することができる。一実施形態では、ディスプレイは、自己表現及び大儀の目的でカスタマイズ可能である。画面は、ポジティブな変化を表現し、ポジティブな変化に繋がり、ポジティブな変化を表明するのに使用することができる。
【０１０４】
[00131]  表示装置は、各自にとって重要なことを表明し表現する能力を個人（例えば、ユーザ）に提供することができる。例えば、表示装置は、カスタマイズ可能な小型ビルボードとして車両で使用することができる。表示装置は、聞かれ、頼られる機会をユーザに提供することができ、それらはウィンドウに表示されるクリエイティブでカスタマイズ可能な自己表現を通して、各自の意見及び意図に何か意味を持たせる。
【０１０５】
[00132]  本開示の表示装置は、個人が集合的に、個人の生活の結果をクリエイトできるようにし得る。そのような表示装置は、個人が、ポジティブな経験を有し、個人の生活経験がどのようなものであるか、１日、１週間、１ヶ月、及び生涯を通して個人がいかに感じ、何を達成するかの結果に作用し影響を及ぼす様々なエネルギー及び結果をもたらす全ての種類の意図及び表現をクリエイトできるようにし得る。意図、表現、及びエネルギーによっては、強力で容易に認識可能なものもあれば、より繊細であり、直観的にしか感じられないことが多いものもある。
【０１０６】
[00133]  本開示の表示装置は、集合的雰囲気及びユーザの様々な表現を反映する本装置の全ユーザの集計ダッシュボードで、繋がり、頼りにされることをサポートする機会を提供することができる。一実施形態では、装置のユーザは、歩く又は巡回するビルボードを含むがこれらに限定されない、装置で何を表現しているかに基づいて、潜在的な収入源と繋がる。組織は、関連付けられた画面を介して他のユーザのメッセージをシェアしてアップロードし、他のユーザと手を組む等の共同表現の目的で、表示装置のユーザと繋がることができ得る。
【０１０７】
（可撓性ディスプレイ）
[00134]  本開示の表示装置は、可撓性ディスプレイを有し得る。可撓性ディスプレイは、１つ又は複数の可撓層で構成し得、カバー層の上又は下に搭載し得る。例えば、可撓性ディスプレイは、剛性支持部材上に搭載してもよく、又は剛性カバー層の下面に搭載してもよい。ディスプレイは、剛性表面又は非剛性表面に搭載し得る。
【０１０８】
[00135]  電子装置に、ボタン、マイクロフォン、スピーカ、圧電性アクチュエータ（電気入力をユーザから受信し、触覚フィードバックをユーザに）、又は振動、圧力センサ、及び他の構成要素等の他のアクチュエータ等のユーザインタフェース構成要素（入出力構成要素）を提供することもできる。これらの構成要素は、可撓性ディスプレイの部分下に搭載し得る。
【０１０９】
[00136]  電子装置の動作中、ディスプレイの可撓性により、ユーザは、ディスプレイを通して構成要素と対話することができ得る。例えば、スピーカからの音波又は電子装置内のアクチュエータからの局所振動が可撓性ディスプレイを通って伝搬し得る。可撓性ディスプレイにより、内部マイクロフォン、圧力センサ、又は力センサ（又は他の内部構成要素）が外部入力を受信することも可能であり得る。例えば、ユーザは、指又は他の外部物体を使用して可撓性ディスプレイを屈曲させ得、可撓性ディスプレイを通して気圧をモニタリングし得、又は可撓性ディスプレイを通して音波を受信し得る。
【０１１０】
[00137]  構成要素は、可撓性ディスプレイの物理的に変形した部分（例えば、ユーザがディスプレイを押下して、構成要素を圧縮する際に生じる変形）を通して、入力を受信し、又は出力を供給し得る。幾つかの構成では、可撓性ディスプレイの部分は、マイクロフォン、スピーカ、圧力センサ、又は他の電子構成要素の部分を形成する膜として機能し得る。
【０１１１】
[00138]  ユーザが、可撓性ディスプレイを変形させることによりボタンスイッチ等の構成要素を圧縮可能なことにより、視覚的表示に利用することができる装置の面積を増大させることができ得る。例えば、可撓性ディスプレイのアクティブエリアは、ボタン又はスピーカ等の構成要素に重複し得る。
【０１１２】
[00139]  所望であれば、可撓性ディスプレイは、内部構成要素により変形して、オーディオフィードバック又は触覚フィードバックをユーザに提供し得る。例えば、電子装置内部の構造を可撓性ディステップの部分に対して押し当てて、画面上の仮想ボタンの輪郭を一時的に生成するか、又はキーボード（キーパッド）内のキーの場所を区切るように機能するリッジの格子を一時的に生成し得る。
【０１１３】
（ディスプレイ構成要素）
[00140]  本開示の別の態様は、ユーザからのメディアへの応答を分析するシステムを提供し、このシステムは、無生物物体に搭載可能な支持部材と、支持部材に搭載される表示部材とを含む。表示部材は、ユーザにより選択されたメディアを表示又は投射するように構成することができ、メディアは、テキスト、画像、及びビデオのうちの少なくとも１つを含む。システムは、表示部材により表示又は投射されるメディアへの少なくとも１人の個人の応答を示す１つ又は複数の信号を収集するセンサを含むことができる。システムは、表示部材及びセンサと通信するコントローラを含むことができる。少なくとも１人の個人は、ユーザを含むことができる。コントローラは、（ｉ）メディアを表示又は投射するように表示部材に指示することと、（ｉｉ）センサから１つ又は複数の信号を受信することと、（ｉｉｉ）少なくとも部分的に、センサから受信される１つ又は複数の信号に基づいて、応答を決定することとを行うようにプログラムすることができる。
【０１１４】
[00141]  無生物物体は、車両、建物、又は他の物体であることができる。例えば、無生物物体は、車又はトラック等の車両である。別の例として、無生物物体は、ボート、飛行機、又はヘリコプターである。別の例として、無生物物体は建物である。
【０１１５】
[00142]  表示部材は、上記又は本明細書の他の箇所に記載のように、表示画面であることができる。表示部材は、曲線又は可撓性を有することができる。例えば、表示部材は、視覚的湾曲ディスプレイであることができる。
【０１１６】
[00143]  システムは、コントローラと通信するカメラを更に含むことができる。コントローラは、少なくとも部分的に応答に基づいて、ユーザと少なくとも１人の他の個人との間の関係値の性質を示すスコアを決定するようにプログラムすることができる。コントローラは、ある関係値の性質から別の関係値の性質への遷移間の１つ又は複数のウェイポイントを決定するようにプログラムすることができる。関係値の性質は、信用、信頼、関与、価値生成、断絶、無気力、無関心、及び順守からなる群から選択することができる。コントローラには、ユーザと１人又は複数の他の人又はエンティティとの間の１つ又は複数の関係の性質を決定又は定量化する関係分析エンジンをプログラムすることができる。
【０１１７】
[00144]  別の態様では、ユーザからのメディアへの応答を分析する方法は、（ｉ）無生物物体に搭載される支持部材と、（ｉｉ）支持部材に搭載される表示部材であって、表示部材は、ユーザにより選択されたメディアを表示又は投射するように構成され、メディアはテキスト、画像、及びビデオのうちの少なくとも１つを含む、表示部材と、（ｉｉｉ）表示部材により表示又は投射されるメディアへの少なくとも１人の個人の対応を示す１つ又は複数の信号を収集するセンサとを提供することを含む。次に、表示部材を使用して、メディアを表示又は投射することができる。次に、１つ又は複数の信号をセンサから受信することができる。次に、少なくとも部分的に、センサから受信される１つ又は複数の信号に基づいて、応答を決定することができる。
【０１１８】
[00145]  方法は、少なくとも部分的に応答に基づいて、ユーザと少なくとも１人の個人との間の関係値の性質を示すスコアを決定することを更に含むことができる。ある関係値の性質から別の関係値の性質への遷移間の１つ又は複数のウェイポイントを決定することができる。
【０１１９】
[00146]  本開示は、本開示のシステム及び方法と併用する様々なディスプレイを提供する。一実施形態では、表示装置は、ユーザ入力信号をディスプレイに送信する信号送信構成要素と、表示信号生成装置から送信された表示情報を制御する表示信号生成装置とを有する電子回路層を含む。信号受信構成要素は、表示信号生成装置から送信される表示情報を受信する。表示駆動構成要素が、受信した表示情報に従って表示層を駆動する。ユーザ入力は、ユーザ入力を受信し、ユーザ入力信号を生成する。電池は、電気エネルギーを電子回路層、ユーザ入力構成要素、表示構成要素に提供する。信号受信構成要素は、第１の無線周波数で搬送される第１の表示情報を有する第１の表示信号を受信する第１の無線周波受信構成要素と、第２の無線周波数で搬送される第２の表示情報を有する第２の表示信号を受信する第２の無線周波受信構成要素とを含み得る。表示駆動構成要素は、第１の表示信号及び第２の表示信号を受信し、同時に、第１の表示情報をディスプレイの第１のロケーションに表示し、第２の表示情報をディスプレイ層の第２のロケーションに表示する表示駆動信号を生成する信号プロセッサ構成要素を含み得る。電池、ディスプレイ、ユーザ入力、及び電子回路層の少なくとも幾つかは、電気的活性材料をプリントして、抵抗、コンデンサ、インダクタ、導体、及び半導体デバイスを含む回路要素を形成することにより形成される。
【０１２０】
[00147]  電池は、第１の電流コレクタ層、アノード層、電解層、カソード層、及び第２の電流コレクタ層を含み得る。電解材料はマイクロカプセル化し得る。この特徴により、電池は、インクジェットプリント、レーザプリント、磁気反応性プリント、静電反応性プリント、又はマイクロカプセル化材料の使用に適合可能な他のプリント方法等のプリント方法による形成に特に適するようになり得る。電池は実質的に、可撓性基板の上面全体に形成される。この構造により、本発明による無線表示装置は、適する電池電力密度を有するとともに、電池層により提供される有利な電子遮蔽品質が提供されながら、可能な限り薄く形成し得る。ユーザ入力は、各導電要素が移動磁場に応答して検出可能な電気信号を誘導する導電要素の格子を含み得る。ユーザ入力は、感圧要素又は容量検知要素を絶縁層上にプリントすることにより形成されるタッチスクリーンを含み得る。
【０１２１】
[00148]  ディスプレイは、表示駆動構成要素の制御下で、各発光ピクセルに電気エネルギーを選択的に印加する各発光ピクセルと接続された導電リードを含み得る。
【０１２２】
[00149]  信号受信構成要素は、第１の無線周波数で搬送される第１の表示情報を有する第１の表示信号を受信する第１の無線周波受信構成要素と、第２の無線周波数で搬送される第２の表示情報を有する第２の表示信号を受信する第２の無線周波受信構成要素とを含み得る。表示駆動構成要素は、第１の表示信号及び第２の表示信号を受信し、同時に、第１の表示情報をディスプレイの第１のロケーションに表示し、第２の表示情報をディスプレイ層の第２のロケーションに表示する表示駆動信号を生成する信号プロセッサ構成要素を含み得る。
【０１２３】
[00150]  電子回路内の構成要素の少なくとも幾つかは、電気的活性材料をプリントして、抵抗、コンデンサ、インダクタ、導体、及び半導体デバイスを含む回路要素を形成することにより形成される。
【０１２４】
[00151]  無線ディスプレイにより必要とされるオンボード処理容量を大幅に低減した実質的に静的な表示内容をフォーマットする内容フォーマット方法が開示される。この内容フォーマット方法は、多数の同時ユーザを可能にするのに有効である。ソースコンピュータが、実質的に静的表示内容を情報のビデオフレームに構成する。無線ディスプレイが必要とするメモリは、所望数のビデオ情報単一フレームの記憶に必要なメモリと同じだけである。
【０１２５】
[00152]  一実施形態では、ディスプレイは、情報を表示する発光ピクセルを含む。一実施形態では、発光ピクセルは、発光導電性ポリマーのピクセル層をプリントすることにより形成される。
【０１２６】
[00153]  一実施形態では、ポジティブな変化のためのユーザの表示される表現、繋がり、及び表明。プロファイルは、バックエンドにおける１つ又は複数のプロセッサにより受信され、１つ又は複数のプロセッサにおいて、以下のうちの１つ又は複数が実行される：（ｉ）集計ダッシュボード反映の部分としての、表現、繋がり、表明、及び頼られていることの独自の特徴の抽出、（ｉｉ）表現、繋がり、及び表明の別個の側面の強調、並びに（ｉｉｉ）表現、繋がり、及び表明に関連するデータの圧縮。１つ又は複数のプロセッサは、ウィンドウからの受信データをデータベース内のデータと比較することができる。
【０１２７】
[00154]  一実施形態では、ディスプレイ／画面は、光学構成要素の使用を通してより大きくされ、ディスプレイ／画面への投射外観を生成する。一実施形態では、ディスプレイ／画面は、装着者の頭部の前に投射することができる。画面は、透明色、黒色、白色であり得、又は非使用時は色を変更し得る。
【０１２８】
[00155]  一実施形態では、色が、個人のクリエイティブな自己表現、繋がり、表明を提供するためのキーコードとしてウィンドウに使用される。ウィンドウは、アドオン、ＧＰＳカメラ等を含むことができる。ウィンドウは、ウィンドウに結合されるか、又はウィンドウと共に含まれるディスプレイ又は画面を保持する寸法を十分に有し得る。
【０１２９】
[00156]  非限定的な例として、ウィンドウは、リサイクル材料、様々な物からの布地、プラスチック、天然材料、エコフレンドリー材料等を含むがこれらに限定されない様々な材料で作ることができる。
【０１３０】
[00157]  一実施形態では、ウィンドウは、ディスプレイを駆動する電子回路を含め、構成要素を収容する。１つ又は複数の電池を含むがこれらに限定されない、エネルギー源を含むことができる。非限定的な例として、太陽、歩行又は他の運動、風等を含むがこれらに限定されない、他のエネルギー源を利用することができる。表示装置は、充電可能であることができ、例えば、差し込むことができる。一実施形態では、表示装置は、メッシュ技術を介して給電される。
【０１３１】
[00158]  ディスプレイは、前部、後部、サイド等に位置決めすることができ、取り外し可能であることができる。ディスプレイは、ガラス、プラスチック等を含むがこれらに限定されない、可撓性材料及び非可撓性材料で製作することができる。
【０１３２】
[00159]  ディスプレイは、異なるサイズ及び形状であることができる。一実施形態では、ディスプレイは、感光性であり、光に相対して色を変更する。一実施形態では、ディスプレイは、日光の反射から保護するのに役立つフレームを含む。一実施形態では、ウィンドウ又はそのフレームは、色を変更するようにアップロード可能である。ディスプレイは、平坦であってもよく、ある程度突出してもよく、より閲覧できるようにするためにバイザー等であることができる。
【０１３３】
[00160]  一実施形態では、ディスプレイを有する画面／画面は、色を変更することができる。これは、ＬＥＤ等の使用を通して達成することができる。ウィンドウの全て又は一部は色を変更することができる。
【０１３４】
[00161]  一実施形態では、画面それは、画面レベル及び画面全体の両方で色を変更することができるか、又はサウンド及びユーザに影響を及ぼすことができる他の手段に基づくことができる画面に隣接する実施形態。これは、サウンド応答彫像と同様又は同一であり得る。
【０１３５】
[00162]  画面は、画面内又は画面の背後のカメラ、ＧＰＳ機能等を含むがこれに限定されない追加の電子構成要素を含むことができ、モバイル装置が行うことができるあらゆることを行うことができる。一実施形態では、画面は、モバイル装置のフルパワーを必要としない。
【０１３６】
[00163]  画面は、バックエンドを有するテレメトリサイトと通信することができる。テレメトリサイトは、ユーザ活動、各ユーザ及び／又は各センサ及びロケーションの性能情報及び参照情報を含む、識別参照データベースを含むことができる。システムにより捕捉されるユーザ活動、性能尺度、データ等は、標準関係データベースＳＱＬサーバ及び／又は他のフォーマットに記録し、リアルタイムでエクスポートすることができる。全ての通信は無線で行われる。
【０１３７】
[00164]  テレメトリシステムは、（ｉ）基本情報を含むことができるプロファイルをセットアップし、個人のクリエイティブな自己表現、繋がり、表明意図を提供するものを使用し、（ｉｉ）画像、写真、テキスト、及びそれらの組合せ等のユーザがアップロードしたいものを作成してアップロードし、（ｉｉ）第三者の自己表現、繋がり、及び表明を見る手段をユーザに提供する。
【０１３８】
[00165]  なお、何かが政治的批判又は関心を有する場合、ソーシャルネットワークプロファイルを変更することが多い。本開示の表示装置は、そのような目的で、補足的に使用することができる。本開示の表示装置を使用して、政治的又は社会的等の共同表現に参加することができる。
【０１３９】
[00166]  本開示は、人々がシェアしているものの集計ダッシュボードを提供する。集計ダッシュボードにより、この自然な挙動をとり、仮想世界及び物理的世界で実施し、ソーシャルメディア情報、写真、メッセージ、及び画像をアップロードし、組織と通信するメカニズムを提供し、これの全てを様々な組織に結び付け、様々な組織は次に、行動をとることができる。
【０１４０】
[00167]  幾つかの場合、個人は、同様の価値及び目標を共有するコミュニティ組織に参加し、シェアされる表現のエコシステムに参加し、この全てを見て、ユーザの表現から導出される雰囲気を特定する集計ダッシュボードの部分であることができる。これは、ソーシャルネットワークに反映し得る。
【０１４１】
[00168]  本開示の表示装置を使用して、ログインし、露出に基づく時間期間中、装着されたメッセージに対して料金を支払う企業と個人情報をシェアすることにより、ユーザに収益源を生み出すことができる。歩くビルボード及び装着者に基づく収益フローは、広告主に影響がある。これは、有給及び無給の共同表現並びに収益のための広告の機会を提供し得る。ユーザは、他のクリエーションを購入し、それらを使用し、それらに「いいね」することができる。
【０１４２】
[00169]  本開示は、本明細書に提供される表示装置を使用してメディアを表示又は投射できるようにするソフトウェアを提供する。図４は、関係分析エンジン１００のブロック図を示す。関係分析エンジン１００は、コントローラ１０５を含むことができる。コントローラ１０５は、幾つかの異なる構成要素に結合されるか、又は別の方法で関連付けられ、これらの構成要素は、異なる人物又はエンティティ間の１つ又は複数の関係の性質を決定し定量化するのに寄与することができる。コントローラ１０５は、プロセッサ、回路、ソフトウェア、ファームウェア、及び／又はそれらの任意の組合せを含むことができる。実際に、関係分析エンジン１００の任意の構成要素は、プロセッサ、回路、ソフトウェア、ファームウェア、及び／又はそれらの任意の組合せを含むことができる。関係分析エンジン１００の構成要素のうちの１つ又は複数が、コントローラ１０５の一部であるか、又はコントローラ１０５により別の方法で実施することができることが理解される。
【０１４３】
[00170]  データマイナー１２５が、コントローラ１０５に結合されるか、又は別の方法で関連付けられ、システムネットワーク等のネットワーク（例えば、１９７）上の関係情報をマイニングすることができる。データマイナー１２５は、ノード１１５等の複数の送信者ノードを特定するか、又は別の方法で定義することができる。各送信者ノードは、詳細に更に後述するように、メッセージの送信者を表す。加えて、データマイナー１２５は、ノード１１５等の複数の受信者ノードを特定するか、又は別の方法で定義することができる。各受信者ノードは、詳細に更に後述するように、メッセージの受信者を表す。
【０１４４】
[00171]  データマイナー１２５は、１つ又は複数のコンテキスト１１０を自動的に決定することができ、コンテキスト１１０において、各メッセージは送信者ノードと受信者ノードとの間で伝送される。コンテキストは、例えば、仕事関連コンテキスト、個人的友人コンテキスト、知人コンテキスト、ビジネス取引コンテキスト等を含むことができる。データマイナー１２５は、各メッセージが送信者ノードと受信者ノードとの間で伝送されるときについてのタイミングシーケンスを自動的に決定することもできる。
【０１４５】
[00172]  行動可能分析セクション１５０は、コントローラ１０５に結合されるか、又は別の方法で関連付けられ、送信者ノードと受信者ノードとの間で伝送されるメッセージを分析することができる。メッセージは、メッセージキュー１９５等の１つ又は複数のメッセージキューから直接受信し、分析し、メッセージキューに返すことができる。代替的には、メッセージは、データマイナー１２５によりネットワーク１９７を介して受信することができる。行動可能分析セクション１５０は、分析された伝送メッセージ、マイニングされた関係情報、１つ又は複数のコンテキスト１１０、及び／又はタイミングシーケンスに基づいて、少なくとも１つの関係に関連付けられた過去分析１５５、リアルタイム分析１６０、及び予測分析１６５を生成することができる。行動可能分析セクション１５０は、関係の関係インジケータを生成することもでき、これは、詳細に更に後述されるように、過去、現在、又は予測の関係値の性質を表す、異なるアイコン、パターン、及び／又は色を含むことができる。
【０１４６】
[00173]  関係分析器が、ある関係値の性質から別の関係値の性質への遷移間の１つ又は複数のウェイポイントを決定することができる。そのようなウェイポイントは、スコアビルダ１７０を使用してスコア付けることができる。加えて、関係値それ自体の性質に、スコアビルダ１７０を使用してスコアを割り当てることができる。スコアは、詳細に更に後述するように、過去、現在、及び予測の関係値の性質を決定するに当たり使用することができる。関係分析器は、コントローラ１０５に結合するか、又は別の方法で関連付けることができ、関係が生産的であるか、それとも非生産的であるかを判断することができる。関係が生産的であるか、それとも非生産的であるかの判断は、メッセージが送信又は受信されるコンテキストに基づいて行うことができる。関係分析器は、関係の弱み及び／又は強みを決定することもできる。
【０１４７】
[00174]  分析エンジン１００は、ユーザインタフェース１４０を含むことができる。ユーザインタフェース１４０は、送信者ノード及び受信者ノード（例えば、１１５）を手動で定義する入力を、ユーザから受信することができる。換言すれば、送信者ノード及び受信者ノードの構造体を構築することができ、これは、メッセージを実際に送受信する人物又はエンティティを表す。さらに、ユーザインタフェース１４０は、各メッセージが送信者ノードと受信者ノードとの間で伝送される１つ又は複数コンテキスト１１０を手動で定義する入力を、ユーザから受信することができる。
【０１４８】
[00175]  分析エンジン１００は修正インプリメンタ１３５を更に含むことができ、これは、コントローラ１０５に結合するか、又は別の方法で関連付けることができる。修正インプリメンタ１３５は、マイニングされた関係情報での１つ又は複数の誤りを検出し、そのような誤りを自動的に修正することができる。例えば、関係の弱みが強みとして評価されるべきである場合、又は逆の場合、修正インプリメンタ１３５は、そのような誤りを修正し、それにより、関係の理解を改善することができる。
【０１４９】
[00176]  幾つかの場合、対話がないことを使用して、特定の結論を導き出すことができる。対話なし分析器は、コントローラ１０５に結合するか、又は別の方法で関連付けることができ、そのような対話がないことを検出することができる。例えば、送信者ノードがメッセージを受信者ノードに送信し、受信者ノードがメッセージを返信しない場合、対話なし分析器により結論を導き出すことができる。結論は、受信者が単に応答することができないことであることができる。代替的には、結論は、送信者ノードと受信者ノードとの関係に不具合があることであることができる。
【０１５０】
[00177]  行動可能分析セクション１５０は、修正インプリメンタ１３５の誤りの修正、対話なし分析器の対話がないことの検出、及び関係分析器の特定を使用して、過去分析１５５、リアルタイム分析１６０、及び予測分析１６５を生成することができる。
【０１５１】
[00178]  入力アプリケーションプログラミングインタフェース（ＡＰＩ）１８０は、１つ又は複数の第三者アプリケーション又はソフトウェアから入力インタフェースを関係分析エンジン１００に提供する。例えば、入力ＡＰＩ１８０は、ビデオ、音声、及び／又はテキスト情報を含む複数のモードのデータフィードへのインタフェースを可能にし得る。加えて、出力ＡＰＩ１８５は、関係分析エンジン１００から１つ又は複数の第三者アプリケーション又はソフトウェアに出力インタフェースを提供する。例えば、出力ＡＰＩ１８５は、第三者アプリケーション又はソフトウェアが、分析エンジン１００を利用し、分析エンジン１００から受信した情報をそれ自体のユーザインタフェースに表示できるようにし得る。分析エンジン１００は、ユーザインタフェース１４０、入力ＡＰＩ１８０、及び／又は出力ＡＰＩ１８５を通して、ノード間の関係の性質についてのリアルタイムフィードバックを提供することができる。
【０１５２】
[00179]  関係分析エンジン１００はデータベース１９０を含むこともでき、データベース１９０は、コントローラ１０５に結合するか、又は別の方法で関連付けることができる。データベース１９０は、例えば、データマイナー１２５によりマイニングされた関係情報、過去分析１５５、リアルタイム分析１６０、予測分析１６５、スコアビルダ１７０により生成されるスコア、スコアに特定の証拠を表示するサジェスション及びトレーサ等を含む、関係分析エンジン１００の任意の構成要素に関連する任意の情報を記憶することができる。
【０１５３】
[00180]  関係分析エンジン１００は、様々な形態で実施することができる。例えば、関係分析エンジン１００は、データセンタに関連付けられた専用ラックマウントハードウェアシステムを使用して動作することができる。幾つかの実施形態では、関係分析エンジン１００は、計算装置又はコンピュータと関連して動作する。幾つかの実施形態では、関係分析エンジン１００は、ウェブページにインストールされるか、又は別の方法で関連付けることができるウィジェットである。幾つかの実施形態では、関係分析エンジン１００は、スマートフォンアプリケーションとして実施される。幾つかの実施形態では、関係分析エンジン１００は、ソーシャルネットワークに関連付けられたアプリケーションである。幾つかの実施形態では、関係分析エンジン１００は、顧客関係管理（ＣＲＭ）ソフトウェア、ベンダーリソース管理（ＶＲＭ）ソフトウェア、及び／又は環境リソース管理（ＥＲＭ）ソフトウェア等の関係管理ソフトウェアのアドオンである。
【０１５４】
[00181]  図５は、異なるコンテキスト（例えば、Ｃ１、Ｃ２、Ｃ３、Ｃ４、Ｃ５、及びＣ６）に関連付けて、送信者ノード（例えば、Ｓ１、Ｓ２、Ｓ３、Ｓ４、Ｓ５、・・・、Ｓｎ、Ｓｎ＋１）と受信者ノード（例えば、Ｒ１、Ｒ２、Ｒ３、Ｒ４、Ｒ５、・・・、Ｒｎ、Ｒｎ＋１）との間で伝送されるメッセージ２１０の流れ図を示す。
【０１５５】
[00182]  メッセージ２１０は、タイミングシーケンス２０５に従って送信者ノードと受信者ノードとの間で伝送される。各メッセージ２１０には、コンテキストを関連付けることができ、コンテキストはメッセージ毎に異なることができる。例えば、図５に示されるように、Ｓ１で送信され、Ｒ１及びＲ２により受信されるメッセージには、コンテキストＣ１を関連付けることができる。別の例として、Ｓｎと受信者Ｒ５、Ｒｎ、及びＲｎ＋１との間で送信されるメッセージには、コンテキストＣ４、Ｃ５、及びＣ６をそれぞれ関連付けることができる。所与の送信者ノードから送信されるメッセージが、同じコンテキストを有してもよく、又は異なるコンテキストを有してもよいことが理解される。
【０１５６】
[00183]  送信者ノードは、メッセージの送信者を表し、人物、エンティティ、コンピュータ等であることができる。受信者ノードは、メッセージの受信者を表し、人物、エンティティ、コンピュータ等であることができる。各ノードは、単一の人又はエンティティを表してもよく、又は代替的に、人々又はエンティティのグループを表してもよい。例えば、ノードは、世界中の視聴者への加入リストを表すことができる。メッセージ２１０は、電子メール、ブログ、ショートメッセージサービス（ＳＭＳ）テキストメッセージ、ポスト等を含むことができ、スレッドとして編成することができる。
【０１５７】
[00184]  図４の行動可能分析セクション１５０は、１つ又は複数のコンテキスト及びタイミングシーケンスに基づいて、１つ又は複数の関係に関する過去分析１５５、リアルタイム分析１６０、及び予測分析１６５を生成することができる。
【０１５８】
[00185]  図６Ａは、１つ又は複数の関係を特定するパラメータの選択を示す。送信者ノード３１０等の１つ又は複数の送信者ノードを選択することができる。受信者ノード３１５等の１つ又は複数の受信者ノードを選択することができる。関心のある時間間隔３２０を時間シーケンス３０５上で選択することができる。コンテキスト３２５等の１つ又は複数のコンテキストを選択することができる。これらが例示的な選択であり、パラメータの任意の組合せを選択できることが理解される。選択は、例えば、ユーザインタフェース１４０、入力ＡＰＩ１８０、及び／又は出力ＡＰＩ１８５を通して行うことができる。幾つかの実施形態では、選択はアルゴリズムにより、及び／又は自動的に行われる。
【０１５９】
図６Ｂは、図６Ａの選択に関連する結果及び観測の分析及び表示を示す。パラメータ選択後、結果３３０及び／又は観測３３５を生成し、及び／又は表示することができる。結果３３０及び／又は観測３３５は、パラメータの選択、マイニングされた関係情報、及び詳細に記載される他の特定に基づく。関係分析エンジン１００又はその構成要素が結果３３０及び／又は観測３３５を生成することができることが理解される。
【０１６０】
[00187]  結果は、生産性３４０、関与３４５、信頼３５０、信用３５５、順守３６０、無関心３６５、無気力３７０、及び／又は断絶３７５等の関係値の１つ又は複数の性質を含むことができる。観測３３５は１つ又は複数の観測を含むことができる。例えば、観測１は「結果のコミュニケーション欠落」であることができる。観測２は「アクションアイテムの強調」であることができる。観測３は「目的の部分的承認」であることができる。観測４は、「切断されたアクションアイテム」であることができる。これらが例示的な観測であり、他の同様又は異なる種類の観測を行うことが可能なことが理解される。
【０１６１】
[00188]  加えて、詳細及び例（例えば、３８０）が、観測３３５の更なる詳細及び／又は例を提供することができる。詳細及び例はボタン３８０を含むことができ、ボタンは、観測３３５及び／又は結果３３０の更なる詳細及び／又は例を表示することができるように選択することができる。
【０１６２】
[00189]  図７Ａは、１つ又は複数の関係を特定するパラメータの選択を示す。信用４００等の関係値の１つ又は複数の性質を選択することができる。関心のある時間間隔４２０を時間シーケンス４０５上で選択することができる。コンテキスト４２５等の１つ又は複数のコンテキストを選択することができる。これらが例示的な選択であり、パラメータの任意の組合せが選択可能なことが理解される。選択は、例えば、ユーザインタフェース１４０、入力ＡＰＩ１８０、及び／又は出力ＡＰＩ１８５を通して行うことができる。幾つかの実施形態では、選択はアルゴリズムにより、及び／又は自動的に行われる。
【０１６３】
[00190]  図７Ｂは、図７Ａの選択に関連付けられた１つ又は複数の関係の分析及び表示を示す。パラメータ選択後、送信者ノード４１０等の１つ又は複数の送信者ノードを強調表示又は他の方法で表示することができ、送信者ノードは前の選択に対応する。さらに、受信者ノード４１５等の１つ又は複数の受信者ノードは、強調表示又は他の方法で表示することができ、受信者ノードは前の選択に対応する。強調表示された送信者ノード４１０及び強調表示された受信者ノード４１５は例示であり、他の同様又は異なる種類の選択及び強調表示を行うことができることが理解される。
【０１６４】
[00191]  送信者ノード及び受信者ノードのいずれを強調表示又は他の方法で表示すべきかの判断は、パラメータの選択、マイニングされた関係情報、及び詳細に上述された他の判断に基づいて行われる。関係分析エンジン１００又はその構成要素が、送信者ノード４１０及び／又は受信者ノード４１５の強調表示又は他の方法での表示を生成することができることが理解される。さらに、送信者ノード４１０及び／又は受信者ノード４１５は、上述した選択に準拠する関係の性質の決定に従って強調表示又は他の方法で表示することができる。
【０１６５】
[00192]  図８は、幾つかの実施形態例による、ある関係値の性質から別の関係値の性質への遷移間のウェイポイントの図を示す。関係値の性質は、例えば、信用５１０、信頼５０５、関与５２０、及び／又は価値生成５１５を含むことができる。関係値のこれらの性質は、図６Ｂを参照して上述した信用３５５、信頼３５０、関与３４５、及び生産性３４０のそれぞれの結果と同様又は同じである値を表す。
【０１６６】
[00193]  関係は、ある性質値から別の性質値に遷移することができる。例えば、関係は、信用５１０から信頼５０５に、信頼５０５から価値生成５１５に、関与５２０から信用５１０へ、信頼５０５から関与５２０へ等に遷移することができる。そのような遷移の過程において、関係は様々なウェイポイントを通過することができる。換言すれば、図４の関係分析器は、ある関係値の性質から別の関係値の性質への遷移間に１つ又は複数のウェイポイントを決定することができる。
【０１６７】
[00194]  ウェイポイントは、異なるパスに沿って配置することができる。例えば、パス５２５に価値生成５１５を関連付けることができ、パス５２５に沿って、関係は、承認、安全、及び感謝のウェイポイントを通過することができる。パス５２５はパス５３０に続き、パス５３０にも価値生成５１５を関連付けることができる。パス５３０に沿って、関係は、検証、目的、及び識別のウェイポイントを通過することができる。
【０１６８】
[00195]  別の例として、パス５３５に関与５２０を関連付けることができ、パス５３５に沿って、関係は、愛着、満足、及び帰属のウェイポイントを通過することができる。パス５３５はパス５４０に続くことができ、パス５４０にも関与５２０を関連付けることができる。パス５４０に沿って、関係は、意欲、方向、及び繋がりのウェイポイントを通過することができる。
【０１６９】
[00196]  更に別の例として、パス５４５に信頼５０５を関連付けることができ、パス５４５に沿って、関係は意欲、方向、及び繋がりのウェイポイントを通過することができる。パス５４５はパス５５０に続くことができ、パス５５０にも信頼５０５を関連付けることができる。パス５５０に沿って、関係は愛着、満足、及び帰属のウェイポイントを通過することができる。
【０１７０】
[00197]  更に別の例として、パス５５５に信用５１０を関連付けることができ、パス５５５に沿って、関係は、検証、目的、及び識別のウェイポイントを通過することができる。パス５５５はパス５６０に続くことができ、パス５６０も信用５１０を関連付けることができる。パス５６０に沿って、関係は、承認、安全、及び感謝のウェイポイントを通過することができる。
【０１７１】
[00198]  本明細書に開示されるパス及びウェイポイントが例示であり、他の同様のパス及びウェイポイントに、信用５１０、信頼５０５、関与５２０、及び／又は価値生成５１５の関係値の性質を関連付けることができることが理解される。
【０１７２】
[00199]  図４のスコアビルダ１７０は、ウェイポイントの１つ又は複数にスコア（例えば、５７０）を割り当てることができる。ウェイポイント間のスコアは、互いと比較して異なることができる。例えば、パス５２５に沿った感謝のウェイポイントのスコアは、パス５５０に沿った愛着のウェイポイントのスコアよりも高いスコアであることができる。関係がウェイポイントの１つを通過する際、スコアビルダ１７０は、所与のウェイポイントに関連付けられたスコアを関係に割り当てるか、又は別の方法で追加することができる。スコアビルダ１７０により所与の関係に割り当てられた全体スコアは、図４の関係分析器及び／又は関係分析エンジン１００の他の構成要素により行われる判断に使用することができる。
【０１７３】
[00200]  さらに、スコアビルダ１７０は、関係により得られる関係値の各性質について、関係にスコア（例えば、５７０）を割り当てるか、又は別の方法で追加することができる。例えば、異なるスコアを、信用５１０、信頼５０５、関与５２０、及び価値生成５１５の関係値の各性質に関連付けることができる。関連付けられたスコアは、関係値の特定の性質を有する関係に割り当てることができる。スコアビルダ１７０により所与の関係に割り当てられた全体スコアは、この態様を含むことができ、図４の関係分析器及び／又は関係分析エンジン１００の他の構成要素によりなされた判断に使用することができる。
【０１７４】
[00201]  例えば、図４の行動可能分析セクション１５０は、１つ又は複数のウェイポイントのスコア、関係の性質のスコア、及び／又は関係に割り当てられた全体スコアに基づく、１つ又は複数の関係に関する過去分析１５５、リアルタイム分析１６０、及び予測分析１６５を生成することができる。関係情報が抽出されるメッセージを使用して、異なるパス及び／又はウェイポイントを決定することができる。メッセージは、ノード（例えば、送信者又は受信者）、コンテキスト、及び／又はウェイポイントに関して分析し、分類し、ソートし、グループ化し、及び／又はタグ付けすることができる。
【０１７５】
[00202]  図９は、幾つかの実施形態例による、ある関係値の性質から別の関係値の性質への遷移間のウェイポイントの別の図を示す。関係値の性質は、例えば、断絶６１０、無気力６０５、無関心６２０、及び／又は順守６１５を含むことができる。関係値のこれらの性質は、図６Ｂを参照して上述した断絶３７５、無気力３７０、無関心３６５、及び順守３６０のそれぞれの結果と同様又は同じ値を表す。
【０１７６】
[00203]  関係は、ある性質値から任意の他の性質値に遷移することができる。例えば、関係は、断絶６１０から無気力６０５へ、無気力６０５から順守６１５へ、無関心６２０から断絶６１０へ、無気力６０５から無関心６２０へ等に遷移することができる。関係が、図９に示されるある関係値の性質から図８に示される別の関係値の性質に遷移することができることも理解される。関係が、図８に示されるある関係値の性質から図９に示される別の関係値の性質に遷移することができることも理解される。
【０１７７】
[00204]  そのような遷移の過程において、関係は様々なウェイポイントを通過することができる。換言すれば、図４の関係分析器は、ある関係値の性質から別の関係値の性質への遷移間に１つ又は複数のウェイポイントを決定することができる。
【０１７８】
[00205]  ウェイポイントは、異なるパスに沿って配置することができる。例えば、感情パス６２５に断絶６１０を関連付けることができ、パス６２５に沿って、関係は、拒絶、不安定、及び無視のウェイポイントを通過することができる。パス６２５はメンタルパス６３０に続き、メンタルパス６３０にも断絶６１０を関連付けることができる。パス６３０に沿って、関係は、批判、無目的、及びバリアのウェイポイントを通過することができる。
【０１７９】
[00206]  別の例として、スピリチュアルパス６３５に無気力６０５を関連付けることができ、パス６３５に沿って、関係は、分離、非充足、及び孤立のウェイポイントを通過することができる。パス６３５は物理的パス６４０に続くことができ、物理的パス６４０にも無気力６０５を関連付けることができる。パス６４０に沿って、関係は、切断、苦闘、及び失望のウェイポイントを通過することができる。
【０１８０】
[00207]  更に別の例として、物理的パス６４５に無関心６２０を関連付けることができ、パス６４５に沿って、関係は切断、苦闘、及び失望のウェイポイントを通過することができる。パス６４５はパス６５０に続くことができ、パス６５０にも無関心６２０を関連付けることができる。パス６５０に沿って、関係は分離、非充足、及び孤立のウェイポイントを通過することができる。
【０１８１】
[00208]  更に別の例として、メンタルパス６５５に順守６１５を関連付けることができ、パス６５５に沿って、関係は、批判、無目的、及びバリアのウェイポイントを通過することができる。パス６５５はパス６６０に続くことができ、パス６６０も順守６１５を関連付けることができる。パス６６０に沿って、関係は、拒絶、不安定、及び無視のウェイポイントを通過することができる。
【０１８２】
[00209]  本明細書に開示されるパス及びウェイポイントが例示であり、他の同様のパス及びウェイポイントに、断絶６１０、無気力６０５、無関心６２０、及び順守６１５の関係値の性質を関連付けることができることが理解される。
【０１８３】
[00210]  図４のスコアビルダ１７０は、ウェイポイントの１つ又は複数にスコア（例えば、６７０）を割り当てることができる。ウェイポイント間のスコアは、互いと比較して異なることができる。例えば、パス６２５に沿った無視のウェイポイントのスコアは、パス６６０に沿った拒絶のウェイポイントのスコアよりも高いスコアであることができる。関係がウェイポイントの１つを通過する際、スコアビルダ１７０は、所与のウェイポイントに関連付けられたスコアを関係に割り当てるか、又は別の方法で追加することができる。スコアビルダ１７０により所与の関係に割り当てられた全体スコアは、図４の関係分析器及び／又は関係分析エンジン１００の他の構成要素により行われる判断に使用することができる。
【０１８４】
[00211]  さらに、スコアビルダ１７０は、関係により得られる関係値の各性質について、関係にスコアを割り当てるか、又は別の方法で追加することができる。例えば、異なるスコアを、断絶６１０、無気力６０５、無関心６２０、及び／又は順守６１５の関係値の各性質に関連付けることができる。関連付けられたスコアは、関係値の特定の性質を有する関係に割り当てることができる。スコアビルダ１７０により所与の関係に割り当てられた全体スコアは、この態様を含むことができ、図４の関係分析器及び／又は関係分析エンジン１００の他の構成要素によりなされた判断に使用することができる。追加されるスコアが負のスコアであってもよく、それにより、関係に割り当てられる全体スコアに負の影響を及ぼすことが理解される。
【０１８５】
[00212]  図４の行動可能分析セクション１５０は、１つ又は複数のウェイポイントのスコア、関係の性質のスコア、及び／又は関係に割り当てられた全体スコアに基づいて、１つ又は複数の関係に関する過去分析１５５、リアルタイム分析１６０、及び予測分析１６５を生成することができる。関係情報が抽出されるメッセージを使用して、異なるパス及び／又はウェイポイントを決定することができる。メッセージは、ノード（例えば、送信者又は受信者）、コンテキスト、及び／又はウェイポイントに関して分析し、分類し、ソートし、グループ化し、及び／又はタグ付けすることができる。
【０１８６】
[00213]  図１０は、幾つかの実施形態例による、関係値の性質７０５と、過去値、現在値、及び予測値のそれぞれを表すアイコン（例えば、７１０、７１５、及び７２０）を有する、関連付けられた関係インジケータ７２５とを示す。
【０１８７】
[00214]  行動可能分析セクション１５０は、１つ又は複数の関係に関係インジケータ（例えば、７２５）を生成することができる。関係インジケータ７２５は、過去分析１５５に関連付けられた関係値の過去性質７１０、リアルタイム分析１６０に関連付けられた関係値の現在性質７１５、及び予測分析１６５に関連付けられた関係値の予測性質７２０のインジケータを含む。
【０１８８】
[00215]  関係インジケータは、３つの隣接又は近傍に配置されるアイコンを含むことができる。例えば、第１のアイコン７１０は関係値の過去の性質を示すことができ、第２のアイコン７１５は、関係値の現在又はリアルタイム性質を示すことができ、第３のアイコン７２０は、関係値の予測性質を示すことができる。アイコンは関係値の各性質の異なるパターンを示すが、代替的には、各アイコンが、異なる色又は形状を示して、ある関係値の性質を別の関係値の性質と区別することができることが理解される。幾つかの実施形態では、色の勾配内の個々の色が関係値の個々の性質を表すような色の勾配が使用される。実際には、アイコンの任意の区別態様を使用することにより、観測者は、過去、現在、及び予測される将来の関係の性質に関連付けられた関係値の性質を素早く区別し識別することができる。
【０１８９】
[00216]  より具体的には、第１のアイコン７１０により示される関係値の過去性質は、生産性７４０、関与７４５、信頼７５０、信用７５５、順守７６０、無関心７６５、無気力７７０、及び／又は断絶７７５の表現を含む。同様に、第２のアイコン７１５により示される関係値の現在性質は、生産性７４０、関与７４５、信頼７５０、信用７５５、順守７６０、無関心７６５、無気力７７０、及び／又は断絶７７５の表現を含む。第３のアイコン７２０により示される関係値の予測性質は、生産性７４０、関与７４５、信頼７５０、信用７５５、順守７６０、無関心７６５、無気力７７０、及び／又は断絶７７５の表現を含む。
【０１９０】
（バックエンド）
[00217]  本開示は、少なくとも１つの中央演算処理装置（ＣＰＵ）又は複数のＣＰＵを有するマイクロプロセッサ、コンピュータメモリ、表示装置及び／又はセンサから信号を受信するように構成されるインタフェース電子回路及び調整電子回路を含むことができるテレメトリシステムを提供する。一実施形態では、調整電子回路の全て又は部分は表示装置にある。
【０１９１】
[00218]  一実施形態では、ＣＰＵは、マイクロプロセッサであることができる。プロセッサ、プロセッサがプログラムを実行する際にフェッチすることができる命令を記憶するのに使用される読み取り専用メモリ、プロセッサにより情報を記憶するのに使用するランダムアクセスメモリ（ＲＡＭ）、及びマスタドックを含む。マイクロプロセッサは、処理された各命令の実行において内部状態を通してマイクロプロセッサを並べるのに使用されるマスタタイミング信号を提供するマスタクロックにより制御される。一実施形態では、マクロプロセッサ、特にＣＰＵは、プロセッサ設計の実施に使用される必要な論理と同様に、ＣＭＯＳ等の低電力装置である。テレメトリシステムは、ユーザのメッセージ、表示、及び活動についての情報をメモリに記憶することができる。
【０１９２】
[00219]  このメモリは、ＣＰＵ外部であってもよいが、ＲＡＭに常駐してもよい。メモリは、バッテリバックＲＡＭ又は電子的に消去可能なプログラマブル読み取り専用メモリ（ＥＥＰＲＯＭ）等の不揮発性であることができる。メッセージ、表示、及び／又はセンサからの信号は、フィルタ、スケールを有し、特定の状況の存在を判断することができる調整電子回路と通信することができる。この調整は基本的に、ＣＰＵにより処理のために、信号をクリーンアップし、場合によっては、情報を事前処理する。次に、これらの信号は、インタフェース電子回路に渡され、インタフェース電子回路は、アナログ電圧又は電流をＣＰＵにより理解される二進数１及び０に変換する。テレメトリシステムは、過去データの評価においてＣＰＵにより達成される等の信号処理でのインテリジェンスを提供することもできる。
【０１９３】
[00220]  一実施形態では、ウィンドウを装着しているユーザの行動、表現等は、異なる活動に使用することができ、テレメトリシステムにおいて異なる分類を有することができる。
【０１９４】
[00221]  分類は、ユーザが時間を費やすユーザの場所、メッセージ、通信、仕事関係の特定、家族関係の特定、社会的関係の特定等に応じて行ってもよい。これらの特定は、日時、対話のタイプ、他人との時間量の比較、日時、他人との交信頻度、他人との交信のタイプ、ユーザがいる場所及び場所のタイプ等に基づくことができる。これらの結果はデータベースに記憶される。
【０１９５】
[00222]  請求項に記載される主題の様々な実施形態の上記説明は、例示及び説明を目的として提供されている。網羅的である、すなわち、請求項に記載される主題を開示される厳密な形態に限定することは意図されない。多くの変更及び変形が当業者に明らかになる。特に、「構成要素」という概念は、上述したシステム及び方法の実施形態において使用されるが、そのような概念が、クラス、メソッド、タイプ、インタフェース、モジュール、オブジェクトモデル、及び他の適する概念等の均等な概念と同義で使用可能なことが明らかである。
【０１９６】
（クラウド基盤）
[00223]  本開示はクラウド基盤を提供する。図１１Ａは、クラウド基盤の論理図を表す。示されるように、クラウドは、ウェブアプリケーション、モバイル装置、パーソナルコンピュータ、及び／又はラップトップ及びTwitter（登録商標）（「Twitter（登録商標）」はTwitter Inc.の商標である）等のソーシャルネットワークを包含する。他のソーシャルネットワークをクラウドに含めてもよく、Twitter（登録商標）が具体例として与えられていることが理解される。したがって、あらゆる構成要素は、上述したようなサーバ、アプリケーション、及びクライアントを含むクラウドの部分を形成する。
【０１９７】
[00224]  図１１Ｂ〜図１１Ｅを参照して、クラウドベースのシステムは、ハードウェアリソースの利用及び／又はリモートクライアントへの割り振りの調整を促進する。システムは、計算タスクが専有イントラネット内のクライアント又はサーバで実行することができる従来の技法と比較して、ユーザが計算性能の低下を知覚せずに、幾つかのクライアントからの要求に同時に応えることができる、本開示の方法により提供される第三者サービスプロバイダを含む。第三者サービスプロバイダ（例えば、「クラウド」）は、ハードウェアリソース及び／又はソフトウェアリソースの集まりをサポートする。ハードウェアリソース及び／又はソフトウェアリソースは、敷地外当事者により維持することができ、リソースは、ネットワークシステムを介して識別されたユーザによりアクセス及び利用することができる。第三者サービスプロバイダにより提供されるリソースは、中央に配置されてもよく、及び／又は様々な地理的場所に分散してもよい。例えば、第三者サービスプロバイダは、リソースを提供する任意の数のデータセンタ機を含むことができる。データセンタ機は、データの記憶／検索、計算タスクの実行、グラフィカル出力のレンダリング、データのルーティング等に利用することができる。
【０１９８】
[00225]  図によれば、第三者サービスプロバイダは、データ記憶サービス、計算サービス、言語処理サービス、電子メールサービス、提示サービス、スプレッドシートサービス、ゲーミングサービス、ウェブ同期サービス（例えば、ＲＳＳフィードへの加入）、及びパーソナルコンピュータ及び／又はローカルサーバに従来関連付けられる任意の他のサービス又はアプリケーション等の任意の数のリソースを提供することができる。さらに、第三者サービスプロバイダと同様の任意の数の第三者サービスプロバイダの利用が意図される。図によれば、敷地外当事者を区別することにより、別個の第三者サービスプロバイダを維持することができ、ユーザは、第三者サービスプロバイダの全て又はサブセットを同時に、異なるとき等に利用することができる。
【０１９９】
[00226]  第三者サービスプロバイダによりサポートされるリソースを利用することにより、専有イントラネット内のクライアント及びサーバに関連付けられたハードウェアで一般に直面する制限を軽減することができる。敷地外当事者は、専有イントラネット内のクライアントのユーザ又はサーバのネットワークシステム管理者の代わりに、ハードウェアリソースを維持し、トラブルシューティングし、置換し、更新することができる。さらに、例えば、長いダウンタイムは、冗長リソースを利用する第三者サービスプロバイダにより軽減することができ、すなわち、リソースのサブセットが更新又は置換されている場合、リソースの残りを利用して、ユーザからの要求に応えることができる。この例によれば、リソースはモジュール式であることができ、したがって、リソースは、リソースの残りがユーザ要求への応答をサポート可能である間、追加、削除、テスト、変更等することができる。さらに、第三者サービスプロバイダによりサポートされるハードウェアリソースは、専有イントラネット内のクライアント及びサーバに関連付けられた従来のハードウェアと比較して、記憶、処理電力、セキュリティ、帯域幅、冗長性、グラフィカルディスプレイレンダリング性能等に関して直面し得る制約は少なくなる。
【０２００】
[00227]  システムはクライアント装置を含むことができ、クライアント装置は、第三者サービスプロバイダのリソースを利用するウィンドウ及び／又はウィンドウユーザのモバイル装置であることができる。１つのクライアント装置が示されているが、システムが、クライアント装置と同様の任意の数のクライアント装置を含むことができ、複数のクライアント装置が、サポートされるリソースを同時に利用可能なことを理解されたい。例示として、クライアント装置はデスクトップ装置（例えば、パーソナルコンピュータ）、モバイル装置等であることができる。さらに、クライアント装置は、物理的に制限され得る埋め込みシステムであることができ、したがって、第三者サービスプロバイダのリソースを利用することが有益であり得る。
【０２０１】
[00228]  リソースは、第三者サービスプロバイダに加入している複数のクライアント装置間で共有することができる。図によれば、リソースの１つは少なくとも１つの中央演算処理装置（ＣＰＵ）であることができ、ＣＰＵサイクルを利用して、クライアント装置により要求された計算タスクを実行することができる。この図によれば、クライアント装置に、ＣＰＵサイクルの全体総数のサブセットに割り振ることができ、一方、ＣＰＵサイクルの残りは、別個のクライアント装置に割り振ることができる。追加又は代替として、クライアント装置に割り振られるＣＰＵサイクルの合計総数のサブセットは、経時変更し得る。さらに、ＣＰＵサイクル数は、クライアント装置のユーザにより購入することができる。別の例によれば、リソースは、データを保持するためにクライアント装置により利用することができるデータストアを含むことができる。クライアント装置を利用するユーザは、第三者サービスプロバイダによりサポートされるデータストアの部分にアクセスすることができ、一方、データストアの残りの部分へのアクセスは拒絶することができる（例えば、データストアは、ユーザ／装置識別情報、許可等に基づいてメモリを選択的にマスキングすることができる）。任意の追加のタイプのリソースも同様に共有可能なことが意図される。
【０２０２】
[00229]  第三者サービスプロバイダはインタフェース構成要素を更に含むことができ、インタフェース構成要素は、入力をクライアント装置から受信し、及び／又はそのような入力への応答をクライアント装置に転送できるようにする（並びに任意の別個のクライアント装置との同様の通信を実行する）ことができる。例によれば、入力は要求、データ実行可能プログラム等であることができる。例えば、クライアント装置からの要求は、１つ又は複数のリソースの利用を介して、計算タスクの実行、データの記憶／検索、ユーザインタフェースのレンダリング等に関連することができる。さらに、インタフェース構成要素は、ネットワークシステム接続を介してデータを取得及び／又は送信することができる。図によれば、実行可能コードをインタフェース構成要素によりネットワークシステム接続を介して受信及び／又は送信することができる。別の例によれば、ユーザ（例えば、クライアント装置を利用している）は、インタフェース構成要素を介してコマンドを発行することができる。
【０２０３】
[00230]  一実施形態では、第三者サービスプロバイダは、リソースを分配する動的割り振り構成要素を含み、リソースは、非限定的な例として、入力（例えば、クライアント装置から得られる要求、データ、実行可能プログラム等）を処理し、入力に応答するために第三者サービスプロバイダによりサポートされるハードウェアリソースであることができる。
【０２０４】
[00231]  インタフェース構成要素は動的割り振り構成要素と別個であるものとして示されているが、動的割り振り構成要素がインタフェース構成要素又はその部分を含むことができることが意図される。インタフェース構成要素は、様々なアダプタ、コネクタ、チャネル、通信パス等を提供することができ、それにより、動的割り振り構成要素と対話できるようにする。
【０２０５】
[00232]  図１１Ｂを参照すると、システムは、クライアント装置及び／又は示されていない別個のクライアント装置により利用することができる任意の数のリソース（例えば、ハードウェア、ソフトウェア、及びファームウェア）をサポートすることができる第三者サービスプロバイダを含む。第三者サービスプロバイダは、クライアント装置から第三者サービスプロバイダによりサポートされるリソースを利用する動作を実行する要求を含むが、これに限定されないリソース利用要求を受信するインタフェース構成要素と、ユーザ、装置、通信タスク等間を含むがこれらに限定されない、リソースを分割する動的割り振り構成要素とを更に含む。さらに、動的割り振り構成要素は、ユーザ状態評価器、強化構成要素、及びオークション構成要素を更に含むことができる。
【０２０６】
[00233]  ユーザ状態評価器は、ユーザ及び／又はユーザにより利用されるクライアント装置に関連付けられた状態を決定することができ、ここで、状態は１組の属性を指すことができる。例えば、ユーザ状態評価器は、クライアント装置から得られ（例えば、インタフェース構成要素を介して）、及び／又は第三者サービスプロバイダに関連付けられたメモリから検索される（例えば、加入データにおいて示される設定）明示的な情報及び／又は暗示的情報を分析することができる。動的割り振り構成要素は、ユーザ状態評価器によりもたらされる状態関連データを利用して、リソースの分配を調整することができる。
【０２０７】
[00234]  一実施形態では、ユーザ状態評価器は、クライアント装置の特徴を考慮することができ、特徴は、動的割り振り構成要素によるリソースの分配に使用することができる。例えば、ユーザ状態評価器は、クライアント装置が、限られた表示面積を有するモバイル装置であることを識別することができる。したがって、動的割り振り構成要素は、この情報を利用して、クライアント装置に画像をレンダリングするために利用されるリソースを低減することができ、その理由は、セルラ電話が、グラフィカル豊富なユーザインタフェースを表示することができないことがあるためである。
【０２０８】
[00235]  さらに、強化構成要素は、特定のユーザ及び／又はクライアント装置へのリソースの割り振りの増大を促進することができる。
【０２０９】
[00236]  図１１Ｄを参照して、負荷分散を利用して、リソースの利用を最適化するシステムを示す。システムは、クライアント装置（及び／又は任意の別個のクライアント装置及び／又は別個の第三者サービスプロバイダ）と通信する第三者サービスプロバイダを含む。第三者サービスプロバイダは、クライアント装置からデータを送信及び／又は受信するインタフェース構成要素と、リソースを割り振る動的割り振り構成要素とを含むことができる。動的割り振り構成要素は、リソースの利用を最適化する負荷分散構成要素を更に含むことができる。
【０２１０】
[00237]  一実施形態では、負荷分散構成要素は、第三者サービスプロバイダのリソースをモニタリングして、故障を検出することができる。リソースのサブセットが故障する場合、負荷分散構成要素は、残りのリソースを引き続き最適化することができる。したがって、プロセッサの総数のうちの一部が故障した場合、負荷分散構成要素は、非故障プロセッサに関連付けられたサイクルを再分配できるようにすることができる。
【０２１１】
[00238]  図１１Ｅを参照して、第三者サービスプロバイダを利用してデータを保存及び／又は分析するシステムを示す。第三者サービスプロバイダは、クライアント装置と通信できるようにするインタフェース構成要素を含むことができる。さらに、第三者サービスプロバイダは、例えば、データ保持リソースを分配することができる動的割り振り構成要素を含む。さらに、第三者サービスプロバイダは、保存構成要素及び任意の数のデータストアを含むことができる。クライアント装置（及び／又は任意の別個のクライアント装置）による保存構成要素及び／又はデータストアのアクセス及び／又は利用は、動的割り振り構成要素により制御することができる。データストアは、中央に配置され、及び／又は異なる地理的場所に位置することができる。さらに、保存構成要素は、管理構成要素、バージョニング構成要素、セキュリティ構成要素、許可構成要素、集計構成要素、及びリストア構成要素を含むことができる。
【０２１２】
[00239]  データストアは、例えば、揮発性メモリ若しくは不揮発性メモリであることができ、又は揮発性メモリ及び不揮発性メモリの両方を含むことができる。限定ではなく例示として、不揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的に消去可能プログラマブルＲＯＭ（ＥＥＰＲＯＭ）、又はフラッシュメモリを含むことができる。揮発性メモリは、外部キャッシュメモリとして機能するランダムアクセスメモリ（ＲＡＭ）を含むことができる。限定ではなく例示として、ＲＡＭは、静的ＲＡＭ（ＳＲＡＭ）、動的ＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、ランバスダイレクトＲＡＭ（ＲＤＲＡＭ）、ダイレクトランダム動的ＲＡＭ（ＤＲＤＲＡＭ）、及びランバス動的ＲＡＭ（ＲＤＲＡＭ）等の多くの形態で利用可能である。本システム及び本方法のデータストアは、これら及び任意の他の適するタイプのメモリを含むことが意図されるが、これらに限定されない。加えて、データストアがサーバ、データベース、ハードドライブ等であることができることを理解されたい。
【０２１３】
[00240]  管理構成要素は、データストアに保持されたデータの管理を促進する。管理構成要素は、例えば、データストア内の多階層記憶を提供できるようにすることができる。この例によれば、非使用データは古くなり、より遅いディスクに移すことができ、より頻繁に使用される重要なデータはより高速のディスクに移すことができるが、しかし、請求項に記載される主題はそのように限定されない。さらに、管理構成要素を利用して、（例えば、クライアント装置が）、クライアント装置にローカルにせずに、内容を編成、注釈付け、及び別の方法で参照することができる。図によれば、セル電話の利用を介して、膨大なビデオファイルをタグ付けすることができる。さらに、管理構成要素は、クライアント装置が、クライアント装置にローカルであることができるメタデータをファイルストリーム（例えば、データストアに保持される）にバインドできるようにし、管理構成要素は、これらのバインドを実施し保持することができる。
【０２１４】
[00241]  追加又は代替として、管理構成要素は、データストア内に保持されるデータを別個のユーザ及び／又はクライアント装置と共有できるようにすることができる。例えば、管理構成要素により、微細粒度共有をサポートすることができる。
【０２１５】
[00242]  バージョニング構成要素は、データのバージョンの保持及び／又は追跡を可能にすることができる。例えば、バージョニング構成要素は、ドキュメントの最新バージョンを識別することができる（データストア内の保存ロケーションに関係なく）。
【０２１６】
[00243]  セキュリティ構成要素は、ユーザ識別情報及び／又は認可レベルに基づいてリソースの可用性を制限する。例えば、セキュリティ構成要素は、クライアント装置に転送されるデータを暗号化し、及び／又はクライアント装置から得られたデータを復号化することができる。さらに、セキュリティ構成要素は、保存構成要素により保持されるデータを認証及び／又は証明することができる。
【０２１７】
[00244]  許可構成要素は、ユーザが、任意のアクセス許可を様々なユーザ、ユーザグループ、及び／又は全てのユーザに割り当てられるようにすることができる。
【０２１８】
[00245]  さらに、集計構成要素は、データの集まりを整理及び／又は分析する。集計構成要素は、第三者データを特定のユーザデータにシームレスに組み込むことができる。
【０２１９】
[00246]  リストア構成要素は、保存構成要素により保持されたデータをロールバックする。例えば、リストア構成要素は、第三者サービスプロバイダに関連付けられた環境を常時記録することができる。さらに、リストア構成要素は記録を再生することができる。
【０２２０】
（発光ダイオード）
[00247]  本開示は、表示装置と併用される発光ダイオードを提供する。図１５は、本開示のディスプレイ及び表示装置との併用に利用し得るような発光ダイオード（ＬＥＤ）駆動回路を示す。ＬＥＤ駆動回路は、駆動回路も含む表示システム内に組み立てられる。駆動回路は、ＣＰＵ２００、タイミング制御回路２０１、ディスプレイメモリユニット２０２、及びデジタルエンコーダ２０３を含み、これらは協働して動作して、ディスプレイの駆動に使用される信号を生成する。ＣＰＵ２００の出力信号は、タイミング制御回路２０１を介してデジタルエンコーダ２０３に転送される。その間、ディスプレイメモリユニット２０２に記憶されたデジタルドットマトリックスのデータが、デジタルエンコーダ２０３に転送される。なお、ディスプレイメモリユニット２０２は、ＣＰＵ２００により提供されるデジタル画像信号を記憶し、任意選択的な装置である。したがって、スペース又はコスト削減の考慮下で、ディスプレイメモリユニット２０２は省くことができる。そして、デジタルドットマトリックスデータは、ＣＰＵ２００から直接デジタルエンコーダ２０３に搬送することができる。
【０２２１】
[00248]  一実施形態では、ＬＥＤ駆動回路は、参照番号３００により示される破線枠に囲まれる図１５の回路の下部である。ＬＥＤディスプレイを駆動して、タイミング制御回路２０１からの水平同期信号Ｈｓ、垂直同期信号Ｖｓ、及びＰ−ＣＬＫ信号の制御下で、ディスプレイメモリユニット２０２に記憶されたデジタルビデオ画像を生成することが考案されている。実際には、ＬＥＤ駆動回路３００は、ＬＳＩ集積回路内のデジタルＬＥＤ、ナノテクノロジー、及び他に関連する表示技術に基づくリストバンド駆動回路と実施することができる。代替的には、ＬＥＤ駆動回路３００は、個々のＬＥＤディスプレイの駆動に使用される独立機能ユニットであることができる。
【０２２２】
[00249]  一実施形態では、ＬＥＤ駆動回路３００は、デジタルガンマ補正回路２２１、ＬＥＤタイミング制御回路２２２、及びＰＷＭ・シャットダウン回路２２３を含む。
【０２２３】
[00250]  動作において、タイミング制御回路２０１からの出力水平同期信号Ｈｓ、垂直同期信号Ｖｓ、及びＰ−ＣＬＫ信号は、ＬＥＤ駆動回路３００内のＬＥＤタイミング制御回路２２２に直接転送される。次に、ＬＥＤタイミング制御回路２２２は、これらの信号を処理し、それにより、ＬＥＤディスプレイの駆動に必要な様々なビデオ制御信号を生成する。ＬＥＤディスプレイは、有機発光ダイオード（ＯＬＥＤ）ディスプレイであることができる。ＬＥＤディスプレイは可撓性を有し得る。
【０２２４】
[00251]  一実施形態では、ＬＥＤタイミング制御回路２２２は、ユーザが、ビデオ画像の生成に望ましいＬＥＤディスプレイの解像度を設定できるようにする解像度設定ユニット２０を更に含む。所望の解像度が設定されると、ＬＥＤタイミング制御回路２２２は、単純に、ＬＥＤディスプレイの解像度の制御に使用される論理信号の状態を変更することにより、ユーザ設定解像度にＬＥＤディスプレイを調整することができる。異なる解像度を設定すべき場合、そのようなＬＥＤディスプレイは有利なことに、周辺構成要素を変更する必要がなくてよい。回路はフェーズロックループ（ＰＬＬ）回路であり得る。
【０２２５】
[00252]  ＬＥＤディスプレイに表示されるデジタルビデオ画像は、ディスプレイメモリユニット２０２からデジタルガンマ補正回路２２１に直接転送される。デジタルガンマ補正回路２２１は、デジタルガンマ補正プロセスをデジタルビデオ信号に対して実行する。
【０２２６】
[00253]  さらに、ＬＥＤ駆動回路３００は、ＰＷＭ・シャットダウン回路２２３を利用して、ＬＥＤディスプレイの様々な部分の給電に必要な全てのＤＣ電圧を提供する。動作において、ＰＷＭ・シャットダウン回路２２３は、外部電圧ＶＤＣを受信し、フィルタリング回路２３０と併せて、電圧ＶＤＣをＬＥＤディスプレイの様々な部分の給電に使用される様々なＤＣ電圧に変換する。
【０２２７】
[00254]  ＰＷＭ・シャットダウン回路２２３は、シャットダウントリガー入力ポート３０を更に含む。ＬＥＤディスプレイが、予め設定される期間にわたりアイドルであった場合、シャットダウントリガー信号が、このポート３０を介してＰＷＭ・シャットダウン回路２２３に入力され、消費電力を制限するために、ＰＷＭ・シャットダウン回路２２３にＬＥＤディスプレイをシャットダウンさせる。
【０２２８】
[00255]  一実施形態では、ビデオ画像を忠実性にあまり損失なく表示できるように、直接デジタル処理されるべきデジタルビデオ信号。駆動回路を実施により費用効率的にするとともに、より少数の回路構成要素を用いて構築することも可能である。ＬＥＤ駆動回路の消費電力はより低くすることができ、ＬＥＤ駆動回路は、多くのアナログ調整を行う必要なく動作することができる。
【０２２９】
[00256]  一実施形態では、デジタルガンマ補正回路２２１は、アナログ様式ではなく、デジタル様式でビデオ信号に対してガンマ補正を実行する。したがって、ガンマ補正は、ＬＥＤディスプレイの特徴に基づいて実行して、最適で最も細かい補正を提供することができる。
【０２３０】
[00257]  一実施形態では、本発明のＬＥＤ駆動回路のデジタル性により、デジタルユニット（この場合、解像度設定ユニット２０）を通して、ＬＥＤディスプレイの様々な解像度を選択可能にすることができる。したがって、解像度設定は、異なる解像度を設定すべき場合、ＰＬＬ回路の幾つかの周辺構成要素を置換する必要がある他のディスプレイよりも好都合である。
【０２３１】
（モバイル装置）
[00258]  本開示はモバイル装置を提供する。図１２〜図１４は、本開示のウィンドウと併用することができるモバイル又は計算装置を示す。図１２を参照すると、モバイル又は計算装置は、タッチセンシティブディスプレイであることができるディスプレイを含むことができる。タッチセンシティブディスプレイは、便宜上、「タッチスクリーン」と呼ばれることがあり、タッチセンシティブディスプレイシステムとしても知られ、又は呼ばれ得る。モバイル又は計算装置は、メモリ（１つ又は複数のコンピュータ可読記憶媒体を含み得る）、メモリコントローラ、１つ又は複数の処理装置（ＣＰＵ）、周辺機器インタフェース、ＲＦ回路を含むが、これに限定されないネットワークシステム回路、オーディオ回路、スピーカ、マイクロフォン、入／出力（Ｉ／Ｏ）サブシステム、他の入力又は出力装置、及び外部ポートを含み得る。モバイル又は計算装置は、１つ又は複数の光学センサを含み得る。これらの構成要素は、１つ又は複数の通信バス又は信号回線を介して通信し得る。
【０２３２】
[00259]  モバイル又は計算装置が、ポータブル多機能モバイル又は計算装置の単なる一例であり、モバイル又は計算装置が、示されるよりも多数又は少数の構成要素を有してもよく、２つ以上の構成要素を結合してもよく、又は異なる構成若しくは配置の構成要素を有してもよいことが理解される。図１２に示される様々な構成要素は、１つ又は複数の信号処理及び／又は特定用途向け集積回路を含め、ハードウェア、ソフトウェア、又はハードウェアとソフトウェアとの組合せで実施し得る。
【０２３３】
[00260]  メモリは、高速ランダムアクセスメモリを含み得、１つ又は複数の磁気ディスク記憶装置、フラッシュメモリデバイス、又は他の不揮発性固体状態メモリ装置等の不揮発性メモリを含むこともできる。ＣＰＵ及び周辺機器インタフェース等のモバイル装置又は計算装置の他の構成要素によるメモリへのアクセスは、メモリコントローラにより制御することができる。
【０２３４】
[00261]  周辺機器インタフェースは、装置の入出力周辺機器をＣＰＵ及びメモリに結合する。１つ又は複数のプロセッサは、メモリに記憶された様々なソフトウェアプログラム及び／又は命令セットを走らせるか、又は実行して、モバイル若しくは計算装置の様々な機能を実行するとともに、データを処理する。
【０２３５】
[00262]  幾つかの実施形態では、周辺機器インタフェース、ＣＰＵ、及びメモリコントローラは、チップ等の単一のチップに実装し得る。幾つかの他の実施形態では、別個のチップに実装し得る。
【０２３６】
[00263]  ネットワークシステム回路は、電磁信号と呼ばれることもあるＲＦを含むがこれらに限定されない、信号を送受信する。ネットワークシステム回路は、電気信号を電磁信号に／から変換し、電磁信号を介して通信ネットワークシステム及び他の通信装置と通信する。ネットワークシステム回路は、アンテナシステム、ＲＦ送受信機、１つ又は複数の増幅器、調整器、１つ又は複数の発振器、デジタル信号プロセッサ、ＣＯＤＥＣチップセット、加入者識別モジュール（ＳＩＭ）カード、メモリ等を含むがこれらに限定されない、これらの機能を実行する回路を含み得る。ネットワークシステム回路は、ネットワークシステム及び他の装置と無線通信により通信し得る。
【０２３７】
[00264]  無線通信は、移動通信用グローバルシステム（ＧＳＭ（登録商標））、エンハンストデータＧＳＭ環境（ＥＤＧＥ）、高速ダウンリンクパケットアクセス（ＨＳＤＰＡ）、ワイドバンドコード分割多重アクセス（Ｗ−ＣＤＭＡ）、コード分割多重アクセス（ＣＤＭＡ）、時分割多重アクセス（ＴＤＭＡ）、BLUETOOTH（登録商標）、ワイヤレスフィデリティ（Ｗｉ−Ｆｉ）（例えば、ＩＥＥＥ８０２．１１ａ、ＩＥＥＥ８０２．１１ｂ、ＩＥＥＥ８０２．１１ｇ、及び／又はＩＥＥＥ８０２．１１ｎ）、ボイスオーバーインターネットプロトコル（ＶｏＩＰ）、Ｗｉ−ＭＡＸ、電子メール用プロトコル（例えば、インターネットメッセージアクセスプロトコル（ＩＭＡＰ）及び／又はポストオフィスプロトコル（ＰＯＰ））、インスタントメッセージング（例えば、エクステンシブルメッセージング及びプレゼンスプロトコル（ＸＭＰＰ）、インスタントメッセージング及びプレゼンスレバレッジエクステンションのためのセッションイニシエーションプロトコル（ＳＩＭＰＬＥ）、インスタントメッセージング及びプレゼンスサービス（ＩＭＰＳ））、及び／又はショートメッセージングサービス（ＳＭＳ）、又は本出願の出願日にまだ開発されていない通信プロトコルを含む他の適切な通信プロトコルを含むが、それらに限定されない任意の複数の通信標準、プロトコル、及び技術を使用し得る。
【０２３８】
[00265]  オーディオ回路、スピーカ、及びマイクロフォンは、オーディオインタフェースをユーザとモバイル又は計算装置との間に提供する。オーディオ回路は、オーディオデータを周辺機器インタフェースから受信し、オーディオデータを電気信号に変換し、電気信号をスピーカに送信する。スピーカは、電気信号を人間可聴音波に変換する。オーディオ回路は、音波からマイクロフォンにより変換された電気信号も受信する。オーディオ回路は、電気信号をオーディオデータに変換し、オーディオデータを処理のために周辺機器インタフェースに送信する。オーディオデータは、周辺機器インタフェースによりメモリ及び／又はネットワークシステム回路から受信し、及び／又はに送信し得る。幾つかの実施形態では、オーディオ回路はヘッドセットジャック（図１２）を含む。ヘッドセットジャックは、オーディオ回路と、出力のみヘッドフォン又は出力（例えば、片耳若しくは両耳用のヘッドフォン）及び入力（例えば、マイクロフォン）の両方を有するヘッドセット等のリムーバブルオーディオ入／出力周辺機器との間にインタフェースを提供する。
【０２３９】
[00266]  Ｉ／Ｏサブシステムは、タッチスクリーン及び他の入／出力装置等のモバイル又は計算装置上の入／出力周辺機器を周辺機器インタフェースに結合する。Ｉ／Ｏサブシステムは、ディスプレイコントローラ及び他の入力装置又は制御装置の１つ又は複数の入力コントローラを含み得る。１つ又は複数の入力コントローラは、電気信号を他の入力装置又は制御装置と送／受信する。他の入／出力装置は、物理的ボタン（例えば、押しボタン、ロッカーボタン等）、ダイアル、スライダスイッチ、及びジョイスティック、クリックホィール等を含み得る。幾つかの代替の実施形態では、入力コントローラは、以下のうちの任意に結合し得る（又はいずれにも結合されなくてもよい）：キーボード、赤外線ポート、ＵＳＢポート、及びマウス等のポインタデバイス。１つ又は複数のボタンは、スピーカ及び／又はマイクロフォンの音量制御用のアップ／ダウンボタンを含み得る。１つ又は複数のボタンは押しボタンを含み得る。２００５年１２月２３日に出願された「Unlocking a Device by Performing Gestures on an Unlock Image」という名称の米国特許出願第１１／３２２，５４９号に記載のように、押しボタンの素早い押下は、タッチスクリーンのロックを解除するか、又はタッチスクリーン上のジェスチャを使用して、装置をアンロックするプロセスを開始し得、この特許出願は全体的に、参照により本明細書に援用される。押しボタンをより長く押すと、モバイル又は計算装置の電源をオン又はオフにし得る。ユーザは、ボタンのうちの１つ又は複数の機能をカスタマイズすることが可能であり得る。タッチスクリーンを使用して、仮想又はソフトボタン及び１つ又は複数のソフトキーボードを実施する。
【０２４０】
[00267]  タッチセンシティブタッチスクリーンは、装置とユーザとの間に入力インタフェース及び出力インタフェースを提供する。ディスプレイコントローラは、電気信号をタッチスクリーンと送受信する。タッチスクリーンは、視覚的出力をユーザに表示する。視覚的出力は、グラフィックス、テキスト、アイコン、ビデオ、及びそれらの任意の組合せ（まとめて「グラフィックス」と呼ばれる）を含み得る。幾つかの実施形態では、視覚的出力の幾つか又は全ては、ユーザインタフェースオブジェクトに対応し得、この更なる詳細について以下に説明する。
【０２４１】
[00268]  タッチスクリーンは、タッチセンシティブ表面、触覚及び／又は触感接触に基づいてユーザから入力を受け入れるセンサ又はセンサセットを有する。タッチスクリーン及びディスプレイコントローラ（任意の関連付けられたモジュール及び／又はメモリ内の情報セットと共に）は、タッチスクリーンへの接触（及び接触の任意の移動及び接触消失）を検出し、検出された接触をタッチスクリーンに表示されるユーザインタフェースオブジェクトとの対話（例えば、１つ又は複数のソフトキー、アイコン、ウェブページ、又は画像）に変換する。例示的な実施形態では、タッチスクリーンとユーザとの接触点は、ユーザの指に対応する。
【０２４２】
[00269]  タッチスクリーンは、ＬＣＤ（液晶ディスプレイ）技術又はＬＰＤ（発光ポリマーディスプレイ）技術を使用し得るが、他の実施形態では、他のディスプレイ技術を使用し得る。タッチスクリーン及びディスプレイコントローラは、容量、抵抗、赤外線、及び表面音響並技術、並びに他の近接センサアレイ又はタッチスクリーンとの１つ又は複数の接触点を特定する他の要素を含むがこれらに限定されない、複数のタッチ検知技術の任意の技術を使用して、接触及び任意の動き又はその接触切断を検出し得る。
【０２４３】
[00270]  タッチスクリーンの幾つかの実施形態でのタッチセンシティブディスプレイは、以下の米国特許第６，３２３，８４６号（Westermanら）、米国特許第６，５７０，５５７号（Westermanら）、米国特許第６，６７７，９３２号（Westerman）、及び／又は米国特許公開第２００２／００１５０２４Ａ１号に記載されるマルチタッチセンシティブタブレットと同様であり得、これらはそれぞれ全体的に、参照により本明細書に援用される。しかし、タッチスクリーンは、ポータブルモバイル又は計算装置からの視覚的出力を表示し、一方、タッチセンシティブタブレットは視覚的出力を提供しない。
【０２４４】
[00271]  タッチスクリーンの幾つかの実施形態でのタッチセンシティブディスプレイは、以下の出願に記載のようなものであり得る：（１）２００６年５月１２日に出願された「Multipoint Touch Surface Controller」という名称の米国特許出願第１１／３８１，３１３号、（２）２００４年５月６日に出願された「Multipoint Touchscreen」という名称の米国特許出願第１０／８４０，８６２号、（３）２００４年７月３０日に出願された「Gestures For Touch Sensitive Input Devices」という名称の米国特許出願第１０／９０３，９６４号、（４）２００５年１月３１日に出願された「Gestures For Touch Sensitive Input Devices」という名称の米国特許出願第１１／０４８，２６４号、（５）２００５年１月１８日に出願された「Mode-Based Graphical User Interfaces For Touch Sensitive Input Devices」という名称の米国特許出願第１１／０３８，５９０号、（６）２００５年９月１６日に出願された「Virtual Input Device Placement On A Touch Screen User Interface」という名称の米国特許出願第１１／２２８，７５８号、（７）２００５年９月１６日に出願された「Operation Of A Computer With A Touch Screen Interface」という名称の米国特許出願第１１／２２８，７００号、（８）２００５年９月１６日に出願された「Activating Virtual Keys Of A Touch-Screen Virtual Keyboad」という名称の米国特許出願第１１／２２８，７３７号、（９）２００６年３月３日に出願された「Multi-Functional Hand-Held Device」という名称の米国特許出願第１１／３６７，７４９号。これらの出願は全て全体的に、参照により本明細書に援用される。
【０２４５】
[00272]  タッチスクリーンは、１０００ｄｐｉを超える解像度を有し得る。例示的な実施形態では、タッチスクリーンは約１０６０ｄｐｉの解像度を有する。ユーザは、スタイラス、指等の任意の適する物体又は附属器官を使用してタッチスクリーンに接触し得る。幾つかの実施形態では、ユーザインタフェースは、主に指ベースの接触及びジェスチャで機能するように設計され、これらは、タッチスクリーン上の指の接触面積がより広いことに起因して、スタイラスベースの入力よりも精密さがはるかに低い。幾つかの実施形態では、装置は、大まかな指ベースの入力を、ユーザが望む動作を実行する精密なポインタ／カーソル位置又はコマンドに変換する。
【０２４６】
[00273]  幾つかの実施形態では、タッチスクリーンに加えて、モバイル又は計算装置は、特定の機能をアクティブ化又は非アクティブ化するタッチパッド（図示せず）を含み得る。幾つかの実施形態では、タッチパッドは、タッチスクリーンとは異なり、視覚的出力を表示しない装置のタッチセンシティブエリアである。タッチパッドは、タッチスクリーンとは別個のタッチセンシティブ表面であるか、又はタッチスクリーンにより形成されるタッチセンシティブエリアの拡張部であり得る。
【０２４７】
[00274]  幾つかの実施形態では、モバイル又は計算装置は、入力制御装置として物理的又は仮想クリックホィールを含み得る。ユーザは、クリックホィールを回転させるか、又はクリックホィールとの接触点を動かす（例えば、接触点の移動量が、クリックホィールの中心点との角度変位により測定される場合）ことにより、タッチスクリーンに表示された１つ又は複数のグラフィカルオブジェクト（以下、アイコンと呼ぶ）間でナビゲートし、対話し得る。クリックホィールは、表示された１つ又は複数のアイコンを選択するのに使用することもできる。例えば、ユーザは、クリックホィールの少なくとも部分又は関連付けられたボタンを押下し得る。クリックホィールを介してユーザにより提供されるユーザコマンド及びナビゲーションコマンドは、入力コントローラ及びメモリ内のモジュール及び／又は命令セットのうちの１つ又は複数により処理し得る。仮想クリックホィールの場合、クリックホィール及びクリックホィールコントローラはそれぞれ、タッチスクリーン及びディスプレイコントローラの一部であり得る。仮想クリックホィールの場合、クリックホィールは、装置とのユーザ対話に応答してタッチスクリーンディスプレイ上に出現及び消失する不透明又は半透明のオブジェクトであり得る。幾つかの実施形態では、仮想クリックホィールは、ポータブル他機能装置のタッチスクリーンに表示され、タッチスクリーンに接触するユーザにより操作される。
【０２４８】
[00275]  モバイル又は計算装置は、様々な構成要素に給電する電力システムも含む。電力システムは、電力管理システム、１つ又は複数の電源（例えば、電池、交流電流（ＡＣ））、充電システム、電力障害検出回路、電力変換器又はインバータ、電力ステータスインジケータ（例えば、発光ダイオード（ＬＥＤ））、及びポータブル装置での電力の生成、管理、及び分配に関連付けられた任意の他の構成要素を含み得る。
【０２４９】
[00276]  モバイル又は計算装置は、光学センサを含み、これに限定されない１つ又は複数のセンサを含むこともできる。図１４は、光学センサがＩ／Ｏサブシステム内の光学センサコントローラにいかに結合されるかを示す。光学センサは、電荷結合素子（ＣＣＤ）又は相補型金属酸化膜半導体（ＣＭＯＳ）フォトトランジスタを含み得る。光学センサは、環境から光を受け取り、１つ又は複数のレンズを通して投射し、画像を表すデータに光を変換する。撮像モジュール５８（カメラモジュールとも呼ばれる）と併せて、光学センサは、静止画像又はビデオを捕捉し得る。幾つかの実施形態では、光学センサは、装置の前面にあるタッチスクリーンとは逆のモバイル又は計算装置の背面に配置され、それにより、タッチスクリーンディスプレイは、静止画像取得及び／又はビデオ画像取得のいずれかのビューファインダとして使用し得る。幾つかの実施形態では、光学センサは装置の前面に配置され、それにより、ユーザが他のテレビ会議参加者をタッチスクリーンディスプレイで閲覧しながら、テレビ会議用にユーザの画像を取得し得る。幾つかの実施形態では、光学センサの位置は、ユーザにより変更することができ（例えば、装置筐体内のレンズ及びセンサを回転させることにより）、それにより、テレビ会議及び静止画及び／又は動画取得の両方に、単一の光学センサをタッチスクリーンディスプレイと共に使用し得る。
【０２５０】
[00277]  モバイル又は計算装置は、１つ又は複数の近接センサを含むこともできる。一実施形態では、近接センサは周辺機器インタフェースに結合される。代替的には、近接センサは、Ｉ／Ｏサブシステム内の入力コントローラに結合し得る。近接センサは、２００５年９月３０日に出願された「Proximity Detector In Handheld Device」という名称の米国特許出願第１１／２４１，８３９号、２００５年９月３０日に出願された「Proximity Detector In Handheld Device」という名称の米国特許出願第１１／２４０，７８８号、「Using Ambient Light Sensor To Augment Proximity Sensor Output」という名称の米国特許出願第１３／０９６，３８６号、２００６年１０月２４日に出願された「Automated Response To And Sensing Of User Activity In Portable Devices」という名称の米国特許出願第１３／０９６，３８６号、及び「Methods And Systems For Automatic Configuration Of Peripherals」という名称の米国特許出願第１１／６３８，２５１号に記載されるように実行し得、これらは全体的に、参照により本明細書に援用される。幾つかの実施形態では、近接センサは、多機能装置がユーザの耳の近くに配置されるとき（例えば、ユーザが電話を掛けるとき）、タッチスクリーンをオフにし、ディセーブルする。幾つかの実施形態では、近接センサは、装置がユーザのポケット、ハンドバック、又は他の暗いエリアにあるとき、画面をオフ状態に保ち、装置がロック状態であるときの不必要な電池消費を回避する。
【０２５１】
[00278]  幾つかの実施形態では、メモリに記憶されたソフトウェア構成要素は、オペレーティングシステム、通信モジュール（又は命令セット）、接触／移動モジュール（又は命令セット）、グラフィックスモジュール（又は命令セット）、テキスト入力モジュール（又は命令セット）、全地球測位システム（ＧＰＳ）モジュール（又は命令セット）、及びアプリケーション（又は命令セット）を含み得る。
【０２５２】
[00279]  オペレーティングシステム（例えば、Darwin、RTXC、LINUX、UNIX（登録商標）、ＯＳ  Ｘ、WINDOWS（登録商標）、又はVxWorks等の埋め込みオペレーティングシステム）は、一般システムアスク（例えば、メモリ管理、記憶装置制御、電力管理等）を制御し管理し、様々なハードウェア構成要素及びソフトウェア構成要素間の通信を促進する様々なソフトウェア構成要素及び／又はドライバを含む。
【０２５３】
[00280]  通信モジュールは、１つ又は複数の外部ポートを介した他の装置との通信を促進し、ネットワークシステム回路及び／又は外部ポートにより受信されるデータを扱う様々なソフトウェア構成要素も含む。外部ポート（例えば、ユニバーサルシリアルバス（ＵＳＢ）、ファイアワイヤ等）は、他の装置に直接、又はネットワークシステムを介して間接的に結合するように構成される。幾つかの実施形態では、外部ポートは、iPod（登録商標）（Apple Computer, Inc.の商標）装置で使用される３０ピンコネクタと同じであるか、又は同様及び／又は互換性を有するマルチピン（例えば、３０ピン）コネクタである。
【０２５４】
[00281]  接触／移動モジュールは、タッチスクリーン（ディスプレイコントローラと併せて）及び他のタッチセンシティブ装置（例えば、タッチパッド又は物理的なクリックホィール）との接触を検出し得る。接触／移動モジュールは、接触が生じたか否かの判断、接触の移動があるか否かの判断及びタッチスクリーンにわたる移動の追跡、接触が破られた（すなわち、接触がなくなった）か否かの判断等の接触の検出に関連する様々な動作を実行する様々なソフトウェアを含む。接触点の移動の特定は、接触点のスピード（大きさ）、速度（大きさ及び方向）、及び／又は加速度（大きさ及び／又は方向の変化）を特定することを含み得る。これらの動作は、単一の接触（例えば、指１本の接触）又は複数の同時接触（例えば、「マルチタッチ」／複数の指の接触）に適用し得る。幾つかの実施形態では、接触／移動モジュール及びディスプレイコントローラは、タッチパッドへの接触も検出する。幾つかの実施形態では、接触／移動モジュール及びコントローラは、クリックホィールとの接触を検出する。
【０２５５】
[00282]  メモリに記憶し得る他のアプリケーションの例としては、他の言語処理アプリケーション、ＪＡＶＡ（登録商標）対応アプリケーション、暗号化、デジタル権利管理、音声認識及び音声複製が挙げられる。
【０２５６】
[00283]  タッチスクリーン、ディスプレイコントローラ、接触モジュール、グラフィックスモジュール、及びテキスト入力モジュールと併せて、接触モジュールを使用して、氏名をアドレス帳に追加すること、氏名をアドレス帳から削除すること、電話番号、電子メールアドレス、物理的な住所、又は他の情報を氏名に関連付けること、画像を氏名に関連付けること、氏名を分類しソートすること、電話、音声会議、電子メール、又はＩＭによる通信を開始及び／又は促進するために、電話番号又は電子メールアドレスを提供すること等を含むアドレス帳又はコンタクトリストを管理し得る。
【０２５７】
（搭載可能な表示装置）
[00284]  本開示のディスプレイは、様々な設定で使用することができる。例えば、ディスプレイはモバイル装置、車両、又は他の物体に搭載することができる。図１６Ａ〜図１６Ｇは、モバイル装置等の様々な物体に搭載することができる表示装置を示す。図１６Ａ〜図１６Ｅでは、表示装置は、ケースとしてモバイル装置に搭載可能であることができる。非限定的な例として、表示装置は、通常のモバイル装置保護ケースと同様に、巻かれて、次にモバイル装置に結合されるケースのようにフィットする。ケースはＯＬＥＤ及び／又は可撓性ＯＬＥＤを有する。表示装置は、モバイル装置と通信する。一実施形態では、表示装置は、表示装置に表示されるものと全く同様の写真、画像、言葉を表現している単純な画面である。
【０２５８】
[00285]  表示装置は、湾曲又は非線形外形を有することができる。表示装置は可撓性を有することができる。図１６Ｆ及び図１６Ｇは、曲線である表示装置を示す。横から、表示装置は非線形外形を有する。
【０２５９】
[00286]  本開示の表示装置は、車両に搭載可能である。表示装置は、車両の本体又は車両の窓に搭載することができる。表示装置は、車両のバンパーに搭載することができる。図３は、車両のリアウィンドウに搭載される表示装置３０１を示す。表示装置は円形であるが、他の形状を使用することもできる。例えば、表示装置は三角形、正方形、又は矩形であることができる。表示装置は、バンパーを含むがこれに限定されない車両の様々な場所に搭載することができる（例えば、表示装置はバンパーステッカーであることができる）。
【０２６０】
[00287]  一実施形態では、モバイル装置はBluetooth（登録商標）及び／又はＷｉＦｉを使用して、表示装置画面と対話し通信する。別の実施形態では、表示装置は、特定のBluetoothプロファイルを解釈するように構成され、Bluetoothプロファイルは、可能なアプリケーションの定義であり、Bluetooth対応装置が他のBluetooth装置と通信するために使用する一般挙動を指定する。これらのプロファイルは、開始から通信をパラメータ化し制御する設定を含む。プロファイルへの順守により、双方向リンクが有効になる前に新しいパラメータを送信する時間が節減される。多くの異なるタイプのアプリケーション又は装置の使用事例を記載した広範囲のBluetoothプロファイルがある。
【０２６１】
[00288]  様々な実施形態では、モバイル装置及び表示装置は、以下を有することが可能である：携帯電話と表示装置との無線制御及び通信、密閉区域にあり、帯域幅が殆ど必要とされない場所での表示装置間の無線ネットワーキング、ファイル転送、交信詳細、カレンダー予約、及びＯＢＥＸとの装置間のリマインダー、前の有線ＲＳ−２３２シリアル通信の置換、より高いＵＳＢ帯域幅が必要とされず、ケーブルなしの接続が望ましい低帯域幅用途向け、Bluetooth対応表示装置からの広告用掲示板を他の発見可能なBluetooth装置に広告する小さな広告の送信、モバイル装置を使用した表示装置でのダイアルアップインターネットアクセス、表示装置からの健康センサデータの短距離伝送、表示装置のリアルタイムロケーションシステム（ＲＴＬＳ）、及びパーソナルセキュリティアプリケーション。Ｗｉ−Ｆｉも表示装置の同様の用途と共に利用することができる。
【０２６２】
[00289]  一実施形態では、表示装置は、表示装置がモバイル装置と通信できるようにするBluetoothアダプタに結合することができる。
【０２６３】
[00290]  請求項に記載される主題の様々な実施形態の上記説明は、例示及び説明の目的で提供されている。網羅的である、すなわち、請求項に記載される主題を開示される厳密な形態に限定することは意図されない。多くの変更及び変形が当業者に明らかになる。特に、「構成要素」という概念は、上述したシステム及び方法の実施形態において使用されるが、そのような概念が、クラス、メソッド、タイプ、インタフェース、モジュール、オブジェクトモデル、及び他の適する概念等の均等な概念と同義で使用可能なことが明らかである。実施形態は、本発明の原理及びその実用を最良に説明するために選ばれ説明され、それにより、関連分野の当業者が請求項に記載される主題、様々な実施形態、及び意図される特定の使用に適する様々な変更を用いた実施形態を理解することができる。
【０２６４】
（コンピュータ制御システム）
[00291]  本開示は、本開示の方法を実施するようにプログラムされるコンピュータ制御システムを提供する。図１７は、本開示の方法を実施するようにプログラムされるか、又は別の方法で構成されるコンピュータシステム１７０１を示す。コンピュータシステム１７０１は中央演算処理装置（ＣＰＵ、本明細書では「プロセッサ」及び「コンピュータプロセッサ」とも）１７０５を含み、ＣＰＵ１７０５は、シングルコア若しくはマルチコアプロセッサ又は並列処理用の複数のプロセッサであることができる。コンピュータシステム１７０１は、メモリ又はメモリロケーション１７１０（例えば、ランダムアクセスメモリ、読み取り専用メモリ、フラッシュメモリ）、電子記憶ユニット１７１５（例えば、ハードディスク）、１つ又は複数の他のシステムと通信するための通信インタフェース１７２０（例えば、ネットワークアダプタ）、及びキャッシュ、他のメモリ、データ記憶装置、及び／又は電子ディスプレイアダプタ等の周辺機器１７２５も含む。メモリ１７１０、記憶ユニット１７１５、インタフェース１７２０、及び周辺機器１７２５は、通信バス（実線）を通してマザーボード等のＣＰＵ１７０５と通信する。記憶ユニット１７１５は、データを記憶するデータ記憶ユニット（又はデータリポジトリ）であることができる。コンピュータシステム１７０１は、通信インタフェース１７２０を用いてコンピュータネットワーク（「ネットワーク」）１７３０に動作可能に結合することができる。ネットワーク１７３０は、インターネット、インターネット及び／又はエクストラネット、又はインターネットと通信するイントラネット及び／又はエクストラネットであることができる。ネットワーク１７３０は、幾つかの場合、電気通信網及び／又はデータ網である。ネットワーク１７３０は、クラウド計算等の分散計算を可能にすることができる１つ又は複数のコンピュータサーバを含むことができる。ネットワーク１７３０は、幾つかの場合、コンピュータシステム１７０１を用いて、ピアツーピアネットワークを実施することができ、ピアツーピアネットワークは、コンピュータシステム１７０１に結合された装置が、クライアント又はサーバとして挙動できるようにし得る。
【０２６５】
[00292]  ＣＰＵ１７０５は、プログラム又はソフトウェアで実施することができる一連の機械可読命令を実行することができる。命令は、メモリ１７１０等のメモリロケーションに記憶し得る。命令はＣＰＵ１７０５に向けることができ、命令は続けて、本開示の方法を実施するように、ＣＰＵ１７０５をプログラム又は別の方法で構成することができる。ＣＰＵ１７０５により実行される動作の例としては、フェッチ、デコード、実行、及びライトバックを挙げることができる。
【０２６６】
[00293]  ＣＰＵ１７０５は、集積回路等の回路の一部であることができる。システム１７０１の１つ又は複数の他の構成要素は、回路に含めることができる。幾つかの場合、回路は特定用途向け集積回路（ＡＳＩＣ）である。
【０２６７】
[00294]  記憶ユニット１７１５は、ドライバ、ライブラリ、及び保存されたプログラム等のファイルを記憶することができる。記憶ユニット１７１５は、ユーザデータ、例えば、ユーザ設定及びユーザプログラムを記憶することができる。コンピュータシステム１７０１は、幾つかの場合、イントラネット又はインターネットを通してコンピュータシステム１７０１と通信するリモートサーバに配置される等、コンピュータシステム１７０１に外部の１つ又は複数の追加のデータ記憶ユニットを含むことができる。
【０２６８】
[00295]  コンピュータシステム１７０１は、ネットワーク１７３０を通して１つ又は複数のリモートコンピュータシステムと通信することができる。例えば、コンピュータシステム１７０１は、ユーザのリモートコンピュータシステムと通信することができる。リモートコンピュータシステムの例は、パーソナルコンピュータ（例えば、ポータブルＰＣ）、スレート又はタブレットＰＣ（例えば、Apple（登録商標）iPad、Samsung（登録商標）Galaxy Tab）、電話、スマートフォン（例えば、Apple（登録商標）iPhone、Android対応装置、Blackberry（登録商標））、又は個人情報端末を含む。ユーザは、ネットワーク１７３０を介してコンピュータシステム１７０１にアクセスすることができる。
【０２６９】
[00296]  本明細書に記載される方法は、例えば、メモリ１７１０又は電子記憶ユニット１７１５等のコンピュータシステム１７０１の電子記憶ロケーションに記憶された機械（例えば、コンピュータプロセッサ）実行可能コードとして実施することができる。機械実行可能又は機械可読コードは、ソフトウェアの形態で提供することができる。機械実行可能コード又は機械可読コードは、ソフトウェアの形態で提供することができる。使用中、コードはプロセッサ１７０５により実行することができる。幾つかの場合、コードは、記憶ユニット１７１５から検索し、メモリ１７１０に記憶して、プロセッサ１７０５によるアクセスに向けて準備することができる。幾つかの状況では、電子記憶ユニット１７１５は除外することができ、機械実行可能命令はメモリ１７１０に記憶される。
【０２７０】
[00297]  コードは、コードを実行するように構成されるプロセッサを有する機械と併用するように予めコンパイル及び構成することができ、又は実行時中にコンパイルすることができる。コードは、予めコンパイルされるか、又は実行時にコンパイルして実行することができるように選択することができるプログラミング言語で供給することができる。
【０２７１】
[00298]  コンピュータシステム１７０１等の本明細書に記載されるシステム及び方法の態様は、プログラミングで実施することができる。本技術の様々な態様は、通常、あるタイプの機械可読媒体で運ばれるか、又は実施される機械（又はプロセッサ）実行可能コード及び／又は関連するデータの形態の「製品」又は「製造品」として考え得る。機械実行可能コードは、メモリ（例えば、読み取り専用メモリ、ランダムアクセスメモリ、フラッシュメモリ）又はハードディスク等の電子記憶ユニットに記憶することができる。「記憶装置」タイプ媒体は、ソフトウェアプログラミングのために随時非一時的記憶を提供し得る、様々な半導体メモリ、テープドライブ、ディスクドライブ等のコンピュータ、プロセッサ等、又は関連するモジュールの有形メモリの任意又は全てを含むことができる。ソフトウェアの全て又は部分は、時折、インターネット又は様々な他の電気通信ネットワークを通して通信し得る。そのような通信は、例えば、ソフトウェアをあるコンピュータ又はプロセッサから別のコンピュータ又はプロセッサに、例えば、管理サーバ又はホストコンピュータからアプリケーションサーバのコンピュータプラットフォームにロードできるようにし得る。したがって、ソフトウェア要素を運び得る別のタイプの媒体としては、ローカル装置間の物理的インタフェースを介して、有線及び光学陸線ネットワークを通して、並びに様々なエアリンクを介して使用される等の光波、電波、及び電磁波が挙げられる。有線又は無線リンク、光学リンク等のそのような波を搬送する物理的要素も、ソフトウェアを運ぶ媒体として見なし得る。本明細書で使用される場合、非一時的有形「記憶」媒体に制限されない限り、コンピュータ又は機械「可読媒体」等の用語は、実行のためにプロセッサに命令を提供することに参加する任意の媒体を指す。
【０２７２】
[00299]  したがって、コンピュータ実行可能コード等の機械可読媒体は、有形記憶媒体、搬送波媒体、又は物理的伝送媒体を含むがこれらに限定されない、多くの形態をとり得る。不揮発性記憶媒体としては、例えば、図面に示されるデータベース等の実施に使用し得る等の任意のコンピュータ等内の任意の記憶装置等の光ディスク又は磁気ディスクが挙げられる。揮発性記憶媒体としては、そのようなコンピュータプラットフォームのメインメモリ等の動的メモリが挙げられる。有形伝送媒体としては、コンピュータシステム内のバスを構成するワイヤを含め、同軸ケーブル、銅線、及び光ファイバが挙げられる。搬送波伝送媒体は、無線周波（ＲＦ）通信及び赤外線（ＩＲ）データ通信中に生成される等の電気信号、電磁信号、音響波、光波の形態をとり得る。したがって、一般的な形態のコンピュータ可読媒体は、例えば、フロッピーディスク、フレキシブルディスク、ハードディスク、磁気テープ、任意の他の磁気媒体、ＣＤ−ＲＯＭ、ＤＶＤ若しくはＤＶＤ−ＲＯＭ、任意の他の光学媒体、パンチカード紙テープ、穴のパターンを有する任意の他の物理的記憶媒体、ＲＡＭ、ＲＯＭ、ＰＲＯＭ及びＥＰＲＯＭ、フラッシュＥＰＲＯＭ、任意の他のメモリチップ若しくはカートリッジ、データ若しくは命令を輸送する搬送波、そのような搬送波を輸送するケーブル若しくはリンク、又はプログラミングコード及び／又はデータを読み出し得る任意の他の媒体を含む。コンピュータ可読媒体のこれらの形態の多くは、実行するためにプロセッサに１つ又は複数の命令の１つ又は複数のシーケンスの搬送に関わり得る。
【０２７３】
[00300]  コンピュータシステム１７０１は、例えば、ユーザが表示するメディアを選択できるようにするアプリケーション（アプリ）を提供するユーザインタフェース（ＵＩ）１７４０を含む電子ディスプレイ１７３５を含むか、又は通信することができる。ＵＩの例としては、限定ではなく、グラフィカルユーザインタフェース（ＧＵＩ）及びウェブベースのユーザインタフェースが挙げられる。
【０２７４】
[00301]  本開示のアプリは、様々な特徴を提供することができ、様々な利点を可能にすることができる。アプリは、ユーザが気にしていることを表現すること、理念について学習すること、及び他人と繋がり、理念、博愛、及び自己表現の周囲の社会経験を生み出すことについてのものであり得る。ユーザは、ユーザが気にしているものを装着しシェアし、繋がって行動して、社会的影響を及ぼし得る。アプリは仮想ソーシャルネットワークであり得、ユーザが表現を他の個人に提供できるようにする。これは、気付きを生み出し、リソースを流し、社会的影響の周囲のムーブメントを生み出すことであり得る。アプリにより、ユーザは、新しい慈善団体及び組織、利点及び機会（例えば、博愛機会）についての学習、寄付、及び他者の教育についての毎月又は他の時間枠の目標を設定することができる。アプリにより、ユーザは、ユーザが気にしていることを表現することができ、学習し、ユーザの様々な関心の周囲での繋がることを可能にする。
【０２７５】
[00302]  アプリを使用して、表現を作成し、既存の表現をシェアし、表現を売買し、慈善団体に結びついて寄付し、社会及び世界に利することができる理念等の理念の周囲で同様の関心を共有する人々と会って繋がることができる。アプリは、教育の改善から様々な社会問題（例えば、動物の権利、人権、汚染等）の最小化又は対処まで、人類にポジティブに影響し得る理念にフォーカスすることができる。
【０２７６】
[00303]  アプリは、表現の市場を提供することができる。アプリは、様々な表現を可能にすることができる。幾つかの例では、アプリにより、スタジアム内のユーザは、ライトショーの一部であることができ、アプリにより、ＧＰＳは、近接性及び関心の共有に基づいて個人同士が会うように案内することができ、アプリにより、ユーザは、表現の承認制スライドショーを作成することができ、アプリにより、様々な話題及び関心の周囲でのグローバル及びローカルな会話が可能になり、そのような会話を促進することができる。
【０２７７】
[00304]  アプリは、本開示の表示装置（例えば、搭載可能又はウェアラブル表示装置）と併用することができる。代替的には、アプリは、表示装置なしで使用することができる。アプリにより、ユーザは、アプリ上で「表現」している１つ又は複数の表現を装着しシェアすることができるように表示装置に接続することができる。アプリにより、ユーザは、友人を表現、ムーブメント、又は理念（例えば、博愛的理念）に参加するように招待することができるとともに、ソーシャルメディアに掲示することができる。
【０２７８】
[00305]  本開示の方法及びシステムは、１つ又は複数のアルゴリズムとして実施することができる。アルゴリズムは、中央演算処理装置１７０５により実行されると、ソフトウェアとして実施することができる。
【０２７９】
[00306]  図１８は制御ユニット１８００を示す。制御ユニット１８００は、電池（例えば、リチウムイオンポリマー電池）、ユニバーサルシリアルバス（ＵＳＢ）ポートと通信する電池充電器、加速度計、第１のボタン、第２のボタン、Bluetooth、第１のメモリ（例えば、同期動的ランダムアクセスメモリ又はＳＤＲＡＭ）、第２のメモリ（例えば、フラッシュメモリ）、ディスプレイドライバ、液晶ディスプレイ（ＬＣＤ）、及び光センサを含め、様々な他のユニットと通信するマイクロコントローラを含む。制御ユニット１８００は、本開示の表示装置又はシステムに統合することができる。例えば、制御ユニット１８００は、表示装置（例えば、ボタンディスプレイ）の回路基板として統合することができる。
【０２８０】
（表現の表示を促進するシステム及びアプリケーション）
[00307]  本開示の別の態様は、表示装置での表現の表示を促進するシステム及びアプリケーションを提供する。表現はメディアを含むことができる。
【０２８１】
[00308]  図１９〜図２５は、表示装置に表示又は投射するメディアを選択することを含む、本明細書に記載される装置、システム、及び方法を実施又は制御するようにプログラムされるアプリケーション（アプリ）の画面例を示す。アプリは、表示装置と通信するモバイル電子装置等のユーザの電子装置で実行することができる。アプリは、ユーザの電子装置に表示されるグラフィカルユーザインタフェース（ＧＵＩ）を含むことができる。
【０２８２】
[00309]  図１９Ａ及び図１９Ｂは、アプリのオンボードプロセスの画面例を示す。図１９Ａでは、ユーザに、様々なソーシャルメディアネットワークでの他のユーザと繋がる選択肢が提供される。図１９Ｂでは、ユーザに、システムがそのユーザをよりよく理解できるようにする質問が提供される。
【０２８３】
[00310]  システムに参加すると、ユーザにプロファイルが提供される。図２０Ａ及び図２０Ｂは、ユーザのプロファイルの画面例を示す。図２０Ａでは、プロファイルは、ユーザの氏名及びアバター、ユーザの興味、そのユーザ専用のシステムのデータベース内の表現（又は「Beam」）数、及びユーザの関心、状況、又は状態（例えば、機嫌）を示すグラフィカルボタンを示す。グラフィカルボタンは、ユーザの現在又は将来の関心、状況、又は状態を示すことができる。表現は、ユーザにより選択されるメディアを含むことができる。
【０２８４】
[00311]  アプリは、ディスプレイに表示する表現を選択する「Beam」リンク、どの他のユーザがユーザをフォローしているかを見るための「フォロワー」リンク、及びユーザがフォローしている他のユーザを見ることができる「フォロー」リンクを含め、様々なリンクをユーザに提供することができる。図２０Ｂ中、ユーザは、ユーザのフォロワーを見るために「フォロワー」リンクを選択している。
【０２８５】
[00312]  アプリは様々な設定をユーザに提供することができ、それにより、ユーザは、アプリ及び表示装置をカスタマイズすることができる。ユーザは設定を使用して、表示装置の電池レベル（例えば、充電残量５時間）を見て、表示装置又はユーザが静止しているとき、表示装置をスリープにする等、表示装置の表示の表示設定（例えば、輝度）及び電力特性を調整することができる。図２１Ａでは、アプリは、表示装置の電池が充電残量５時間を有することを示し、表示装置の表示の輝度レベルを示し、５分間静止する場合、表示装置をスリープにすることをユーザが選択したことを示す。設定により、図２１Ｂに示されるように、ユーザは、ユーザの電子装置を表示装置に接続する（又はペアにする）こともできる。
【０２８６】
[00313]  アプリにより、ユーザは、表示装置に表示する表現を選択又はキューに入れることができる。アプリにより、ユーザは、所与の時点及び／又はロケーションで表現を表示する等、表示スケジュール及び表示設定を選択することができる。アプリにより、ユーザは、表示の順序、向き、サイズ、色、及び輝度を含め、表現が表示装置に表示される様式をプレビューすることができる。アプリにより、ユーザは、ある表現から別の表現への遷移、所与の表現が表示される持続時間、及びある表現から別の表現に遷移し得るトリガーを選択することができる。図２２Ａでは、キューは、ＧＵＩの一番上に表示される。各円は、キュー内の所与の時点で表示装置に表示し得る表現を表す。ユーザは、キューのシャッフルを選択することができ、又は選択された順序でキューを表示させることができる。ユーザは、図２２Ｂに示されるように、円をドラッグアンドドロップすることによる等、順序を設定することができる。ユーザは、所与の表現を表示し得る持続時間（例えば、２分）を選択することができる。ユーザは、表現又は表現群をドラッグし、キュー内でドロップすることができる。表現群は１つ又は複数の表現を含むことができる。例えば、ユーザは、ユーザの状態又はユーザの関心（例えば、政治的関心又はスポーツの関心）を特徴付ける表現から選択し得る。例では、ユーザは、ユーザが関心を有する野球チーム（例えば、サンフランシスコジャイアンツ）に関連する表現を選択する。
【０２８７】
[00314]  幾つかの表現は、ユーザ又は他の個人が所与の理念又は慈善団体に寄付をしたとき等、ユーザへの有価値物の交換時に表示することが可能であり得る。慈善団体はユーザにより選択し得る。図２３Ａでは、ユーザが関心を持つか、又は所与の表現若しくは表現群に関連付けられた慈善団体は、寄付で＄１０，０００を集めている。図２３Ｂでは、ユーザが表現又は表現群を表示装置に表示したい場合、ユーザは寄付（例えば、＄１．９９寄付）を慈善団体にする必要があり得る。
【０２８８】
[00315]  アプリにより、ユーザは、表示装置に表示する表現を作成することができる。図２４Ａ〜図２４Ｇは、表現の様々な作成段階を示す。図２４Ａでは、ユーザは、メディアリポジトリ（例えば、画像データベース）からメディアを選択するか、又はユーザの電子装置を使用して画像を捕捉する等、メディアを捕捉し得る。メディアを選択又は捕捉すると、ユーザは、図２４Ｂ及び図２４Ｃに示されるように、メディアを編集することが可能であり得る。これは、メディアの表示特性（例えば、輝度）を調整すること、テキストをメディアに追加すること、又は他のメディア（例えば、別の画像）をメディアに追加することを含むことができる。次に、ユーザは、図２４Ｄに示されるように、表現の説明を提供することができる。次に、アプリにより、ユーザは、図２４Ｅに示されるように、ユーザの友人（例えば、ソーシャルネットワークからの友人）を招待することによって等、表現をプロモーションすることができる。次に、ユーザは、図２４Ｆに示されるように、表現を公開することができる。これにより、図２４Ｇに示されるように、公開表現が生成される。
【０２８９】
[00316]  アプリにより、ユーザは、他の個人をシステムに招待することができる。図２５では、アプリにより、ユーザは、システムのネットワーク及び／又は様々なソーシャルネットワークからの他の個人を招待することができる。
【０２９０】
[00317]  アプリにより、ユーザは、即座又は将来の時点等、所与の時点で表現を表示することができる。例では、ユーザは、所与の日時で表示するように表現をキューに入れる。
【０２９１】
[00318]  表現は、表現のライブラリでアクセス可能であり得る。表現のライブラリは、データベース等の電子データリポジトリ上にあることができる。電子データリポジトリは、ユーザの電子装置上又はリモートサーバ等のリモートコンピュータシステム上にあることができる。
【０２９２】
[00319]  アプリは、ユーザのソーシャルネットワーク上にいる他の個人に、どの表現がユーザにより表示中又は投射中であるかを通知することができる。例えば、アプリは、ソーシャルネットワーク上のユーザの他の個人（例えば、友人）によりアクセス可能であり得るユーザのソーシャルネットワーク上で、表現又は表現のキューの識別情報をブロードキャストすることができる。
【０２９３】
[00320]  アプリは様々な特徴を可能にすることができる。アプリは、何がトレンドかをユーザに示し、ユーザにニュースフローを提供することができる。アプリは、デフォルトアプリケーションをユーザに対して自動的に作成することができる。アプリケーションは、ユーザが特定のメディア及び表現をプライベートに保ち、一方、他のメディア及び表現を公衆又は選択ユーザ等の選択個人によりアクセス可能に保てるようにする等のプライバシー設定を提供することができる。
【０２９４】
[00321]  アプリにより、表示装置を有さないユーザは他のユーザと通信することができる。これは、ユーザの電子装置とのネットワーク通信するサーバを通して促進することができる。
【０２９５】
[00322]  アプリにより、ユーザは、理念若しくは組織に寄付するか、又はユーザが理念又は組織に寄付をすることを条件として表示若しくはメディア及び表現を作成することができる。アプリにより、ユーザは、ライフスタイル目標等の目標を提供することができる。アプリは、ユーザが所与のロケーションに到達した場合又はユーザが友人若しくはユーザのフォロワーである別のユーザの近傍にいる場合等、目標又は他の動作を満たした場合、アラートをユーザに提供することができる。アプリは、ユーザが寄付目標等の目標の達成からどの程度離れているかをユーザに知らせることができる。
【０２９６】
[00323]  アプリは表現を配色することができる。これにより、他の個人は、例えば、表現が何についてであるか、又はユーザが目標達成からどの程度離れているかを判断することができる（例えば、グリーンの色調は、ユーザが目標達成に近いことを示し得る）。
【０２９７】
[00324]  本開示のアプリは、様々な特徴を提供することができ、様々な利点を可能にすることができる。アプリは、ユーザが気にしていることを表現すること、理念について学習すること、及び他人と繋がり、理念、博愛、及び自己表現の周囲の社会経験を生み出すことについてのものであり得る。ユーザは、ユーザが気にしているものを装着しシェアし、繋がって行動して、社会的影響を及ぼし得る。アプリは仮想ソーシャルネットワークであり得、ユーザが表現を他の個人に提供できるようにする。これは、気付きを生み出し、リソースを流し、社会的影響の周囲のムーブメントを生み出すことであり得る。アプリにより、ユーザは、新しい慈善団体及び組織、理念及び機会（例えば、博愛機会）についての学習、寄付、及び他者の教育についての毎月又は他の時間枠の目標を設定することができる。アプリにより、ユーザは、ユーザが気にしていることを表現することができ、学習し、ユーザの様々な関心の周囲での繋がることを可能にする。
【０２９８】
[00325]  アプリを使用して、表現を作成し、既存の表現をシェアし、表現を売買し、慈善団体に結びついて寄付し、社会及び世界に利することができる理念等の理念の周囲で同様の関心を共有する人々と会って繋がることができる。アプリは、教育の改善から様々な社会問題（例えば、動物の権利、人権、汚染等）の最小化又は対処まで、人類にポジティブに影響し得る理念にフォーカスすることができる。
【０２９９】
[00326]  アプリは、表現の市場を提供することができる。アプリは、様々な表現を可能にすることができる。幾つかの例では、アプリにより、スタジアム内のユーザは、ライトショーの一部であることができ、アプリにより、ＧＰＳは、近接性及び関心の共有に基づいて個人同士が会うように案内することができ、アプリにより、ユーザは、表現の承認制スライドショーを作成することができ、アプリにより、様々な話題及び関心の周囲でのグローバル及びローカルな会話が可能になり、そのような会話を促進することができる。
【０３００】
[00327]  アプリは、本開示の表示装置と併用することができる（例えば、搭載可能又は装着可能な表示装置）。代替的には、アプリは、表示装置なしで使用することができる。アプリにより、ユーザは、ユーザがアプリで「表現中」の１つ又は複数の表現を装着し、シェアすることができるように、表示装置に接続することができる。アプリにより、ユーザは、表現、ムーブメント、又は理念（例えば、博愛的理念）に参加するように友人を招待することができるとともに、ソーシャルメディアに掲示することができる。
【０３０１】
（例１）
[00328]  図２６は、本開示の表示装置と併用可能な、プロファイルを表示するアプリケーション（アプリ）を有する様々な電子装置を示す。アプリは、ユーザが加入することができる理念又はイベント（例えば、「イルカを救え」又は「癌のために立ち上がろう」）を含め、ユーザのプロファイルを表示することができる。アプリにより、ユーザは、その理念又はイベントをフォローしている他のユーザ数を見ることができ、寄付をすることができる。ユーザは、ユーザの表示装置上に表示又は投射する、理念又はイベントの１つ又は複数の表現を選択し得る。
【０３０２】
[00329]  図２７では、ユーザは、表示装置により表示又は投射する所与の表現又は表現群を選択することができる。所与の表現又は表現群を、理念又はイベントに関連付けることができる。
【０３０３】
[00330]  アプリにより、ユーザは表現を作成又は編集することができる。図２８Ａ〜図２８Ｅは、表示装置に表示又は投射する表現の作成に関連する様々な段階を示す。ユーザは、背景画像を選択し、背景画像上にテキストを提供することができる。ユーザは、テキストを背景画像の隣又は周囲に提供することができる。ユーザは、輝度等の画像又は表現の様々な特性を選択又は変更することができる。ユーザは、表示装置に表示する表現を最終決定することができる。
【０３０４】
[00331]  本開示の表示画面は、表示画面のスワイプ等のジェスチャと併用するように構成し得る。例えば、メディアは、表示画面をスワイプすることによりユーザにより選択し得る。別の例として、ユーザは、左から右、右から左、上から下、又は下から上にスワイプすることにより、メディアをスクロールし得る。
【０３０５】
例２
[00332]  図２９及び図３０は、車両、ヘルメット、及び建物等の無生物物体に搭載された表示装置の様々な例を示す。
【０３０６】
[00333]  図２９Ａ及び図２９Ｂは、車両２９０２の本体に搭載されるか、又は組み込むことができる表示装置２９０１を示す。表示装置２９０１は、表示画面又は車両２９０２上の専用又は割り振りエリアにメディアを投射するプロジェクタであることができる。
【０３０７】
[00334]  図３０Ａは、車両に搭載された表示装置を示す。表示装置は、デジタルバンパーステッカーであり得る。表示装置は、車両の窓等の車両の本体に搭載し得る。表示装置は、車両の内側又は外側のいずれかで車両の窓に搭載し得る。例えば、表示装置は、リアウィンドウの内側又は外側のいずれかで、車両のリアウィンドウに搭載し得る。代替として、表示装置は、車両の本体外側又はリアウィンドウに組み込む等、車両の本体に組み込み得る。別の代替として、表示装置は、メディアを車両の窓（例えば、リアウィンドウ）、窓の一部、又は本体の一部等の車両の本体に投射し得る。メディアは、割り振られた画面スペースに表示又は投射し得る。
【０３０８】
[00335]  図３０Ｂは、メディアをトラックの後部に表示する、上部プロジェクタ及び下部プロジェクタを有するトラックを示す。代替として、トラックは、上部プロジェクタ又は下部プロジェクタのうちの一方のみを含み得る。各プロジェクタは、同じメディア又は異なるメディアを表示し得る。例えば、上部プロジェクタによるメディア表示は、全体画像の一部（例えば、５０％）であり得、下部プロジェクタにより投射されるメディアは、トラックの後部に表示される全体画像の残りの部分（例えば、５０％）であり得る。
【０３０９】
[00336]  図３０Ｃは、車両の本体に組み込まれた表示装置を有する車両を示す。表示装置は、車両のバンパーに組み込むことができる。
【０３１０】
[00337]  図３０Ｄ及び図３０Ｅは、表示装置を有するヘルメットを示す。図３０Ｄでは、表示装置は、電子表示画面（例えば、ＬＥＤ）等の表示画面である。図３０Ｅでは、表示装置は、プロジェクタを有するスクリーンである。プロジェクタは、メディア（「Ride On」）をスクリーンに投射する。
【０３１１】
[00338]  図３０Ｆは、二輪車に搭載された表示装置を示す。表示装置はバックフェンダー（back fender）ディスプレイである。表示装置はスクリーン及びプロジェクタを含む。
【０３１２】
[00339]  図３０Ｇは、建物（例えば、家）に搭載された表示装置を示す。示される例では、表示装置は、建物の窓に搭載される。表示装置は、建物の内部又は外部に搭載し得る。例えば、表示装置は、建物内部の窓に搭載される。代替として、表示装置は、窓に組み込まれる等、建物に組み込まれ得る。
【０３１３】
[00340]  本発明の好ましい実施形態を本明細書に示し説明したが、そのような実施形態が単なる例示として提供されることが当業者には明らかである。本発明が本明細書内に提供される特定の例により限定されることは意図されない。本発明は上記明細書を参照して説明されたが、本明細書の実施形態の説明及び例示は、限定の意味で解釈されることが意味されない。本発明から逸脱せずに、これより、多くの変形、変更、及び置換を当業者は思い付く。さらに、本発明の全ての態様が、本明細書に記載される特定の図、構成、及び相対位置に限定されず、様々な状況及び変数に依存することが理解されるものとする。本発明を実施するに当たり、本明細書に記載される本発明の実施形態への様々な代替を利用し得ることを理解されたい。したがって、本発明が、任意のそのような代替、変更、変形、又は均等物も包含することが意図される。以下の特許請求の範囲が本発明の範囲を規定し、それにより、これらの特許請求の範囲及びそれらの均等物内の方法及び構造が包含されることが意図される。
【図１】
2017538612.tif 000003
【図２】
2017538612.tif 000004
【図３】
2017538612.tif 000005
【図４】
2017538612.tif 000006
【図５】
2017538612.tif 000007
【図６Ａ】
2017538612.tif 000008
【図６Ｂ】
2017538612.tif 000009
【図７Ａ】
2017538612.tif 000010
【図７Ｂ】
2017538612.tif 000011
【図８】
2017538612.tif 000012
【図９】
2017538612.tif 000013
【図１０】
2017538612.tif 000014
【図１１Ａ】
2017538612.tif 000015
【図１１Ｂ】
2017538612.tif 000016
【図１１Ｃ】
2017538612.tif 000017
【図１１Ｄ】
2017538612.tif 000018
【図１１Ｅ】
2017538612.tif 000019
【図１２】
2017538612.tif 000020
【図１３】
2017538612.tif 000021
【図１４】
2017538612.tif 000022
【図１５】
2017538612.tif 000023
【図１６Ａ】
2017538612.tif 000024
【図１６Ｂ】
2017538612.tif 000025
【図１６Ｃ】
2017538612.tif 000026
【図１６Ｄ】
2017538612.tif 000027
【図１６Ｅ】
2017538612.tif 000028
【図１６Ｆ】
2017538612.tif 000029
【図１６Ｇ】
2017538612.tif 000030
【図１７】
2017538612.tif 000031
【図１８】
2017538612.tif 000032
【図１９Ａ】
2017538612.tif 000033
【図１９Ｂ】
2017538612.tif 000034
【図２０Ａ】
2017538612.tif 000035
【図２０Ｂ】
2017538612.tif 000036
【図２１Ａ】
2017538612.tif 000037
【図２１Ｂ】
2017538612.tif 000038
【図２２Ａ】
2017538612.tif 000039
【図２２Ｂ】
2017538612.tif 000040
【図２３Ａ】
2017538612.tif 000041
【図２３Ｂ】
2017538612.tif 000042
【図２４Ａ】
2017538612.tif 000043
【図２４Ｂ】
2017538612.tif 000044
【図２４Ｃ】
2017538612.tif 000045
【図２４Ｄ】
2017538612.tif 000046
【図２４Ｅ】
2017538612.tif 000047
【図２４Ｆ】
2017538612.tif 000048
【図２４Ｇ】
2017538612.tif 000049
【図２５】
2017538612.tif 000050
【図２６】
2017538612.tif 000051
【図２７】
2017538612.tif 000052
【図２８Ａ】
2017538612.tif 000053
【図２８Ｂ】
2017538612.tif 000054
【図２８Ｃ】
2017538612.tif 000055
【図２８Ｄ】
2017538612.tif 000056
【図２８Ｅ】
2017538612.tif 000057
【図２９Ａ】
2017538612.tif 000058
【図２９Ｂ】
2017538612.tif 000059
【図３０Ａ】
2017538612.tif 000060
【図３０Ｂ】
2017538612.tif 000061
【図３０Ｃ】
2017538612.tif 000062
【図３０Ｄ】
2017538612.tif 000063
【図３０Ｅ】
2017538612.tif 000064
【図３０Ｆ】
2017538612.tif 000065
【図３０Ｇ】
2017538612.tif 000066
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
ユーザにより選択されたメディアを表示又は投射するシステムであって、
無生物物体に搭載可能な支持部材であって、車両の窓に搭載されるか、又は車両の窓に近接している支持部材と、
前記支持部材に搭載される、連続的に円形で実質的に平坦な視覚的湾曲ディスプレイであって、前記連続的に円形で実質的に平坦な視覚的湾曲ディスプレイは、前記ユーザにより選択された前記メディアを表示又は投射するように構成され、前記メディアは、デジタルテキスト、画像、又はビデオのうちの少なくとも１つを含む、連続的に円形で実質的に平坦な視覚的湾曲ディスプレイと、を備え、
前記連続的に円形で実質的に平坦な視覚的湾曲ディスプレイは制御信号を受信するように構成され、前記制御信号は、（ｉ）前記メディアを含み、及び（ｉｉ）前記ユーザの表示及び／又はロケーション設定又はスケジュールに従って前記メディアを表示又は投射するように前記視覚的湾曲ディスプレイに指示する、システム。
【請求項２】
前記無生物物体は、バンパーであるか、又は前記車両の前記窓の隣に位置する、請求項１に記載のシステム。
【請求項３】
前記支持部材はフレームである、請求項１に記載のシステム。
【請求項４】
前記連続的に円形で実質的に平坦な視覚的湾曲ディスプレイはモジュール式である、請求項１に記載のシステム。
【請求項５】
前記連続的に円形で実質的に平坦な視覚的湾曲ディスプレイは可撓性を有する、請求項１に記載のシステム。
【請求項６】
前記連続的に円形で実質的に平坦な視覚的湾曲ディスプレイに動作可能に結合された誘導充電可能な電池を更に備える、請求項１に記載のシステム。
【請求項７】
前記連続的に円形で実質的に平坦な視覚的湾曲ディスプレイは、前記支持部材から脱着可能である、請求項１に記載のシステム。
【請求項８】
前記連続的に円形で実質的に平坦な視覚的湾曲ディスプレイと通信する通信バスを更に備える、請求項１に記載のシステム。
【請求項９】
前記通信バスは、前記支持部材に搭載される、請求項８に記載のシステム。
【請求項１０】
前記通信バスは、前記連続的に円形で実質的に平坦な視覚的湾曲ディスプレイをコントローラと無線通信させる通信インタフェースを含む、請求項８に記載のシステム。
【請求項１１】
前記支持部材に搭載されるコントローラを更に備える、請求項１に記載のシステム。
【請求項１２】
前記連続的に円形で実質的に平坦な視覚的湾曲ディスプレイは発光ダイオード画面である、請求項１に記載のシステム。
【請求項１３】
前記連続的に円形で実質的に平坦な視覚的湾曲ディスプレイはプロジェクタである、請求項１に記載のシステム。
【請求項１４】
前記コントローラと通信するカメラを更に備える、請求項１１に記載のシステム。
【請求項１５】
追加の連続的に円形で実質的に平坦な視覚的湾曲ディスプレイを更に備える、請求項１に記載のシステム。
【請求項１６】
前記追加の連続的に円形で実質的に平坦な視覚的湾曲ディスプレイは、前記連続的に円形で実質的に平坦な視覚的湾曲ディスプレイと通信する、請求項１５に記載のシステム。
【請求項１７】
前記支持部材は、前記無生物物体に脱着可能に搭載可能である、請求項１に記載のシステム。
【請求項１８】
ユーザにより選択されたメディアを表示又は投射する方法であって、
（ａ）（ｉ）無生物物体に脱着可能に搭載される支持部材であって、車両の窓に搭載されるか、又は車両の窓に近接している支持部材と、（ｉｉ）前記支持部材に搭載される、連続的に円形で実質的に平坦な視覚的湾曲ディスプレイであって、前記連続的に円形で実質的に平坦な視覚的湾曲ディスプレイは、前記ユーザにより選択された前記メディアを表示又は投射するように構成され、前記メディアは、デジタルテキスト、画像、又はビデオのうちの少なくとも１つを含む、連続的に円形で実質的に平坦な視覚的湾曲ディスプレイとを提供することと、
（ｂ）メモリ内の前記ユーザの表示及びロケーション設定又はスケジュールにアクセスすることと、
（ｃ）前記連続的に円形で実質的に平坦な視覚的湾曲ディスプレイを使用して、前記ユーザの前記表示及びロケーション設定又はスケジュールに従って前記メディアを表示又は投射することと
を含む、方法。
【請求項１９】
前記メディアを表示又は投射する入力を前記ユーザから受信することを更に含む、請求項１８に記載の方法。
【請求項２０】
前記入力は、前記連続的に円形で実質的に平坦な視覚的湾曲ディスプレイ又は前記ユーザの電子装置で受信される、請求項１９に記載の方法。
【請求項２１】
前記設定又はスケジュールを前記ユーザから受信することと、前記設定又はスケジュールを前記メモリに記憶することとを更に含む、請求項１８に記載の方法。
【請求項２２】
ユーザからメディアへの応答を分析するシステムであって、
無生物物体に搭載可能な支持部材であって、車両の窓に搭載されるか、又は車両の窓に近接している支持部材と、
前記支持部材に搭載される、連続的に円形で実質的に平坦な表示部材であって、前記連続的に円形で実質的に平坦な表示部材は、前記ユーザにより選択される前記メディアを表示又は投射するように構成され、前記メディアはデジタルテキスト、画像、又はビデオのうちの少なくとも１つを含む、連続的に円形で実質的に平坦な表示部材と、
前記連続的に円形で実質的に平坦な表示部材により表示又は投射される前記メディアへの少なくとも１人の個人の応答を示す１つ又は複数の信号を収集するセンサと、を備え、
前記連続的に円形で実質的に平坦な表示部材は制御信号を受信するように構成され、前記制御信号は、（ｉ）前記メディアを含み、及び（ｉｉ）前記メディアを表示又は投射するように前記連続的に円形で実質的に平坦な表示部材に指示する、システム。
【請求項２３】
前記無生物物体は車両である、請求項２２に記載のシステム。
【請求項２４】
前記連続的に円形で実質的に平坦な表示部材は表示画面である、請求項２２に記載のシステム。
【請求項２５】
前記連続的に円形で実質的に平坦な表示画面は湾曲しているか、又は可撓性を有する、請求項２４に記載のシステム。
【請求項２６】
少なくとも部分的に前記応答に基づいて、前記ユーザと前記少なくとも１人の他の個人との間の関係値の性質を示すスコアを決定するようにプログラムされたコントローラを更に備える、請求項２２に記載のシステム。
【請求項２７】
前記コントローラと通信するカメラを更に備える、請求項２６に記載のシステム。
【請求項２８】
前記コントローラは、ある関係値の性質から別の関係値の性質への遷移間の１つ又は複数のウェイポイントを決定するようにプログラムされる、請求項２６に記載のシステム。
【請求項２９】
前記関係値の性質は、信用、信頼、関与、価値生成、断絶、無気力、無関心、及び順守からなる群から選択される、請求項２６に記載のシステム。
【請求項３０】
前記少なくとも１人の個人は前記ユーザを含む、請求項２２に記載のシステム。
【請求項３１】
前記コントローラには、前記ユーザと１人又は複数の他の人又はエンティティとの間の１つ又は複数の関係の性質を決定又は定量化する関係分析エンジンがプログラムされる、請求項２６に記載のシステム。
【請求項３２】
ユーザからのメディアへの応答を分析する方法であって、
（ａ）（ｉ）無生物物体に搭載される支持部材であって、車両の窓に搭載されるか、又は車両の窓に近接している支持部材と、（ｉｉ）前記支持部材に搭載される、連続的に円形で実質的に平坦な表示部材であって、前記連続的に円形で実質的に平坦な表示部材は、前記ユーザにより選択された前記メディアを表示又は投射するように構成され、前記メディアはデジタルテキスト、画像、又はビデオのうちの少なくとも１つを含む、連続的に円形で実質的に平坦な表示部材と、（ｉｉｉ）前記連続的に円形で実質的に平坦な表示部材により表示又は投射される前記メディアへの少なくとも１人の個人の対応を示す１つ又は複数の信号を収集するセンサとを提供することと、
（ｂ）前記表示部材を使用して、前記メディアを表示又は投射することと、
（ｃ）前記センサから前記１つ又は複数の信号を受信することと、
（ｄ）少なくとも部分的に、前記センサから受信される前記１つ又は複数の信号に基づいて、前記応答を決定することと
を含む、方法。
【請求項３３】
少なくとも部分的に前記応答に基づいて、前記ユーザと前記少なくとも１人の個人との間の関係値の性質を示すスコアを決定することを更に含む、請求項３２に記載の方法。
【請求項３４】
ある関係値の性質から別の関係値の性質への遷移間の１つ又は複数のウェイポイントを決定することを更に含む、請求項３３に記載の方法。
【請求項３５】
ユーザにより選択されたメディアを表示又は投射するシステムであって、
無生物物体に搭載可能な支持手段であって、車両の窓に搭載されるか、又は車両の窓に近接している支持手段と、
前記支持手段に搭載される、連続的に円形で実質的に平坦な視覚的湾曲ディスプレイであって、前記連続的に円形で実質的に平坦な視覚的湾曲ディスプレイは、前記ユーザにより選択された前記メディアを表示又は投射するように構成され、前記メディアは、デジタルテキスト、画像、又はビデオのうちの少なくとも１つを含む、連続的に円形で実質的に平坦な視覚的湾曲ディスプレイと、を備え、
前記連続的に円形で実質的に平坦な視覚的湾曲ディスプレイは制御信号を受信するように構成され、前記制御信号は、（ｉ）前記メディアを含み、及び（ｉｉ）前記ユーザの表示及び／又はロケーション設定又はスケジュールに従って前記メディアを表示又は投射するように前記視覚的湾曲ディスプレイに指示する、システム。
【国際調査報告】
2017538612.tif 000067